(57)【要約】  無線ノード（７０５、７１１）は、第１の無線アクセス技術（ＲＡＴ）のガードバンド内で第２のＲＡＴに従って無線信号（７０９）を送信するように設定される。無線ノード（７０５、７１１）は、無線信号（７０９）の送信が第１のＲＡＴに関する発射制限に従うように、第１のＲＡＴのチャネル帯域幅（７３１）に基づいて、第１のＲＡＴのガードバンド内の第２のＲＡＴに従う無線信号（７０９）の送信のための１つまたは複数の送信パラメータを決定する。１つまたは複数の送信パラメータは、第１のＲＡＴに関するガードバンド内の無線信号（７０９）の周波数位置を含む。無線ノード（７０５、７１１）はまた、第１のＲＡＴのガードバンド内で第２のＲＡＴに従って無線信号（７０９）を送信するための１つまたは複数の送信パラメータを用いて無線ノード（７０５、７１１）を設定する。【選択図】図７
2019521580.tif 000002
【特許請求の範囲】
【請求項１】
第１の無線アクセス技術（ＲＡＴ）のガードバンド内で第２のＲＡＴに従って無線信号（７０９）を送信するように無線ノード（７０５、７１１）を設定するための方法であって、
前記無線信号（７０９）の送信が前記第１のＲＡＴに関する発射制限に従うように、前記第１のＲＡＴのチャネル帯域幅（７３１）に基づいて、前記第２のＲＡＴに従う前記無線信号（７０９）の送信に関する１つまたは複数の送信パラメータを決定すること（８０１）であって、前記１つまたは複数の送信パラメータが前記第１のＲＡＴの前記ガードバンド内の前記無線信号（７０９）の周波数位置を含む、送信パラメータを決定することと、
前記第１のＲＡＴの前記ガードバンド内で前記第２のＲＡＴに従って前記無線信号（７０９）を送信するための前記１つまたは複数の送信パラメータを用いて前記無線ノード（７０５、７１１）を設定すること（８０３）と
を含む、方法。
【請求項２】
前記１つまたは複数の送信パラメータが、前記無線信号（７０９）が前記第２のＲＡＴに従って送信されるべきキャリア周波数を含み、前記送信パラメータを決定することが、前記第１のＲＡＴの前記チャネル帯域幅（７３１）のエッジを規定するエッジ周波数と、そのエッジ周波数に対する規定された周波数オフセットとに基づいて前記キャリア周波数を決定することを含む、請求項１に記載の方法。
【請求項３】
前記第１のＲＡＴの前記チャネル帯域幅（７３１）に基づいて前記規定された周波数オフセットを決定することをさらに含み、複数の規定された周波数オフセットは前記第１のＲＡＴの異なるチャネル帯域幅に対して規定されている、請求項２に記載の方法。
【請求項４】
前記規定された周波数オフセットが、前記第１のＲＡＴに関する発射要件に基づいて指定される、請求項２または３に記載の方法。
【請求項５】
前記送信パラメータを決定することが、前記第２のＲＡＴに従う前記無線信号（７０９）の送信を管理するスペクトル発射マスクが前記第１のＲＡＴを管理するスペクトル発射マスク内にあるように、前記無線信号（７０９）の前記周波数位置を決定することを含む、請求項１から４のいずれか一項に記載の方法。
【請求項６】
無線信号（７０９）が前記第１のＲＡＴに関する前記ガードバンド内で送信されるかどうかにかかわらず、前記第２のＲＡＴに従って前記無線信号（７０９）を送信するために公称発射制限が適用可能であり、前記第１のＲＡＴに関するチャネル帯域幅（７３１）のエッジからの無線信号（７０９）の周波数オフセットに応じて、前記第１のＲＡＴに関する前記ガードバンド内で前記第２のＲＡＴに従って前記無線信号（７０９）を送信するために、前記公称発射制限に加えて追加の発射制限が適用可能であり、前記追加の発射制限は、前記周波数オフセットが規定された閾値よりも小さいときに強制され、前記周波数オフセットが前記規定された閾値よりも大きいときは強制されない、請求項１から５のいずれか一項に記載の方法。
【請求項７】
前記規定された閾値が、前記第１のＲＡＴに関する前記チャネル帯域幅（７３１）のサイズに依存する、請求項６に記載の方法。
【請求項８】
前記第２のＲＡＴに関するスペクトル発射マスクが、前記第２のＲＡＴのチャネル帯域幅のエッジから開始する周波数に適用され、前記送信パラメータを決定することが、前記第１のＲＡＴの前記チャネル帯域幅（７３１）のエッジからのオフセット周波数に関する前記第２のＲＡＴに関する前記スペクトル発射マスクに対して指定された要件に基づいて前記周波数位置を決定することを含む、請求項１に記載の方法。
【請求項９】
前記オフセット周波数が、前記第１のＲＡＴの前記チャネル帯域幅（７３１）のサイズに依存する、請求項８に記載の方法。
【請求項１０】
前記送信パラメータを決定することが、前記第１のＲＡＴの前記チャネル帯域幅（７３１）の異なる可能なサイズに対して要求されるそれぞれのオフセット周波数を指定するテーブルに基づいて前記周波数位置を決定することを含む、請求項８に記載の方法。
【請求項１１】
前記送信パラメータを決定することが、少なくとも前記第１のＲＡＴの前記チャネル帯域幅（７３１）のエッジと前記第２のＲＡＴのチャネル帯域幅のエッジとの間の特定の周波数オフセットの要件に基づいて前記周波数位置を決定することを含む、請求項１に記載の方法。
【請求項１２】
要求される前記特定の周波数オフセットが、前記第１のＲＡＴの前記チャネル帯域幅（７３１）のサイズに依存する、請求項１１に記載の方法。
【請求項１３】
前記送信パラメータを決定することが、前記第１のＲＡＴの前記チャネル帯域幅（７３１）のエッジからのオフセット周波数に関する要件に基づいて前記周波数位置を決定することを含む、請求項１に記載の方法。
【請求項１４】
前記送信パラメータを決定することが、前記第１のＲＡＴと前記第２のＲＡＴの両方に関する発射制限に従うように、前記無線信号（７０９）の送信のための前記１つまたは複数の送信パラメータを決定することを含む、請求項１から１３のいずれか一項に記載の方法。
【請求項１５】
基地局（７１１）によって実行され、前記設定することが、前記１つまたは複数の送信パラメータを前記無線ノード（７０５、７１１）に示すことを含む、請求項１から１４のいずれか一項に記載の方法。
【請求項１６】
前記無線ノード（７０５、７１１）によって実行され、前記１つまたは複数の送信パラメータを用いて設定された通りに前記無線信号（７０９）を送信することをさらに含む、請求項１から１４のいずれか一項に記載の方法。
【請求項１７】
前記無線ノード（７０５、７１１）がユーザ機器（７０５）である、請求項１から１６のいずれか一項に記載の方法。
【請求項１８】
第１の無線アクセス技術（ＲＡＴ）に関するガードバンド内で、第２のＲＡＴに従って無線信号（７０９）を送信するように無線ノード（７０５、７１１）を設定するための基地局（７１１）であって、
前記無線信号（７０９）の送信が前記第１のＲＡＴに関する発射制限に従うように、前記第１のＲＡＴのチャネル帯域幅（７３１）に基づいて、前記第２のＲＡＴに従う前記無線信号（７０９）の送信に関する１つまたは複数の送信パラメータを決定することであって、前記１つまたは複数の送信パラメータが前記第１のＲＡＴの前記ガードバンド内の前記無線信号（７０９）の周波数位置を含む、送信パラメータを決定することと、
前記第１のＲＡＴの前記ガードバンド内で前記第２のＲＡＴに従って前記無線信号（７０９）を送信するための前記１つまたは複数の送信パラメータを用いて前記無線ノード（７０５、７１１）を設定することと
を行うように設定された、基地局（７１１）。
【請求項１９】
請求項２から１５および１７のいずれか一項に記載の方法を実行するように設定された、請求項１８に記載の基地局（７１１）。
【請求項２０】
第１の無線アクセス技術（ＲＡＴ）に関するガードバンド内で、第２のＲＡＴに従って無線信号（７０９）を送信するように無線ノード（７０５、７１１）を設定するための基地局（７１１）であって、
前記無線信号（７０９）の送信が前記第１のＲＡＴに関する発射制限に従うように、前記第１のＲＡＴのチャネル帯域幅（７３１）に基づいて、前記第２のＲＡＴに従う前記無線信号（７０９）の送信に関する１つまたは複数の送信パラメータを決定するための決定モジュール（１６０４、２００１）であって、前記１つまたは複数の送信パラメータが前記第１のＲＡＴの前記ガードバンド内の前記無線信号（７０９）の周波数位置を含む、決定モジュール（１６０４、２００１）と、
前記第１のＲＡＴの前記ガードバンド内で前記第２のＲＡＴに従って前記無線信号（７０９）を送信するための前記１つまたは複数の送信パラメータを用いて前記無線ノード（７０５、７１１）を設定するための設定モジュール（１６０６、２００７）と
を備える、基地局（７１１）。
【請求項２１】
請求項２から１５および１７のいずれか一項に記載の方法を実行するための１つまたは複数のモジュールを備える、請求項２０に記載の基地局（７１１）。
【請求項２２】
第１の無線アクセス技術（ＲＡＴ）に関するガードバンド内で、第２のＲＡＴに従って無線信号（７０９）を送信するように無線ノード（７０５、７１１）を設定するための基地局（７１１）であって、
処理回路網（１５０４、１９０１）とメモリ（１５０８、１９０３）とを備え、前記メモリ（１５０８、１９０３）が、前記処理回路網（１５０４、１９０１）によって実行可能な命令であって、それによって、基地局（７１１）が、
前記無線信号（７０９）の送信が前記第１のＲＡＴに関する発射制限に従うように、前記第１のＲＡＴのチャネル帯域幅（７３１）に基づいて、前記第２のＲＡＴに従う前記無線信号（７０９）の送信に関する１つまたは複数の送信パラメータを決定することであって、前記１つまたは複数の送信パラメータが前記第１のＲＡＴの前記ガードバンド内の前記無線信号（７０９）の周波数位置を含む、送信パラメータを決定することと、
前記第１のＲＡＴの前記ガードバンド内で前記第２のＲＡＴに従って前記無線信号（７０９）を送信するための前記１つまたは複数の送信パラメータを用いて前記無線ノード（７０５、７１１）を設定することと
を行うように設定される、命令を含む、基地局（７１１）。
【請求項２３】
前記メモリが、前記処理回路網によって実行可能な命令であって、それによって、前記基地局（７１１）が、請求項２から１５および１７のいずれか一項に記載の方法を実行するように設定される、命令を含む、請求項２２に記載の基地局（７１１）。
【請求項２４】
基地局（７１１）の少なくとも１つのプロセッサにおいて実行されたとき、前記少なくとも１つのプロセッサに、請求項１から１５および１７のいずれか一項に記載の方法を実行させる命令を含む、コンピュータプログラム。
【請求項２５】
第１の無線アクセス技術（ＲＡＴ）に関するガードバンド内で、第２のＲＡＴに従って無線信号（７０９）を送信するためのユーザ機器（７０５）であって、
前記無線信号（７０９）の送信が前記第１のＲＡＴに関する発射制限に従うように、前記第１のＲＡＴのチャネル帯域幅（７３１）に基づいて、前記第２のＲＡＴに従う前記無線信号（７０９）の送信に関する１つまたは複数の送信パラメータを決定することであって、前記１つまたは複数の送信パラメータが前記第１のＲＡＴの前記ガードバンド内の前記無線信号（７０９）の周波数位置を含む、送信パラメータを決定することと、
前記第１のＲＡＴの前記ガードバンド内で前記第２のＲＡＴに従って前記１つまたは複数の送信パラメータを用いて前記無線信号（７０９）を送信することと
を行うように設定された、ユーザ機器（７０５）。
【請求項２６】
請求項２から１４および１６から１７のいずれか一項に記載の方法を実行するように設定された、請求項２５に記載のユーザ機器（７０５）。
【請求項２７】
第１の無線アクセス技術（ＲＡＴ）に関するガードバンド内で、第２のＲＡＴに従って無線信号（７０９）を送信するためのユーザ機器（７０５）であって、
前記無線信号（７０９）の送信が前記第１のＲＡＴに関する発射制限に従うように、前記第１のＲＡＴのチャネル帯域幅（７３１）に基づいて、前記第２のＲＡＴに従う前記無線信号（７０９）の送信に関する１つまたは複数の送信パラメータを決定するための決定モジュール（１６０４、２００１）であって、前記１つまたは複数の送信パラメータが前記第１のＲＡＴの前記ガードバンド内の前記無線信号（７０９）の周波数位置を含む、決定モジュール（１６０４、２００１）と、
前記第１のＲＡＴの前記ガードバンド内で前記第２のＲＡＴに従って前記１つまたは複数の送信パラメータを用いて前記無線信号（７０９）を送信するための送信モジュール（１６０８、２００９）と
を備える、ユーザ機器（７０５）。
【請求項２８】
請求項２から１４および１６から１７のいずれか一項に記載の方法を実行するための１つまたは複数のモジュールを備える、請求項２７に記載のユーザ機器（７０５）。
【請求項２９】
第１の無線アクセス技術（ＲＡＴ）に関するガードバンド内で、第２のＲＡＴに従って無線信号（７０９）を送信するためのユーザ機器（７０５）であって、
処理回路網（１５０４、１９０１）とメモリ（１５０８、１９０３）とを備え、前記メモリ（１５０８、１９０３）が、前記処理回路網（１５０４、１９０１）によって実行可能な命令であって、それによって、ユーザ機器（７０５）が、
前記無線信号（７０９）の送信が前記第１のＲＡＴに関する発射制限に従うように、前記第１のＲＡＴのチャネル帯域幅（７３１）に基づいて、前記第２のＲＡＴに従う前記無線信号（７０９）の送信に関する１つまたは複数の送信パラメータを決定することであって、前記１つまたは複数の送信パラメータが前記第１のＲＡＴの前記ガードバンド内の前記無線信号（７０９）の周波数位置を含む、送信パラメータを決定することと、
前記第１のＲＡＴの前記ガードバンド内で前記第２のＲＡＴに従って前記１つまたは複数の送信パラメータを用いて前記無線信号（７０９）を送信することと
を行うように設定される、命令を含む、ユーザ機器（７０５）。
【請求項３０】
前記メモリが、前記処理回路網によって実行可能な命令であって、それによって、前記ユーザ機器（７０５）が、請求項２から１４および１６から１７のいずれか一項に記載の方法を実行するように設定される、命令を含む、請求項２９に記載のユーザ機器（７０５）。
【請求項３１】
ユーザ機器（７０５）の少なくとも１つのプロセッサにおいて実行されたとき、前記少なくとも１つのプロセッサに請求項２から１４および１６から１７のいずれか一項に記載の方法を実行させる命令を含む、コンピュータプログラム。
【請求項３２】
請求項２４または３１のコンピュータプログラムを含むキャリアであって、電子信号、光信号、無線信号（７０９）、またはコンピュータ可読記憶媒体のうちの１つである、キャリア。
【発明の詳細な説明】
【技術分野】
【０００１】
関連出願
本出願は、２０１６年５月２３日に出願した米国仮特許出願第６２／３４０３３７号、および２０１６年５月２５日に出願した米国仮特許出願第５２／３４１５８２号の優先権を主張するものであり、それらの各々の全内容は、参照により本明細書に組み込まれる。
【０００２】
本開示は、一般に、通信の分野に関し、詳細には、無線アクセス技術のガードバンドにおける送信に関する。
【背景技術】
【０００３】
Ｅ−ＵＴＲＡダウンリンクおよびアップリンクキャリア周波数
拡張ユニバーサル地上無線アクセス（Ｅ−ＵＴＲＡ）は、ダウンリンク（ＤＬ）送信における直交周波数分割多重（ＯＦＤＭ）と、アップリンク（ＵＬ）におけるシングルキャリア周波数分割多重アクセス（ＳＣ−ＦＤＭＡ）とを使用する。ＤＬ帯域幅およびＵＬ帯域幅の中心周波数は、キャリア周波数と呼ばれる。ＤＬとＵＬの両方のサブキャリア間隔は、１５ｋＨｚに等しい。
【０００４】
デジタル−アナログ（Ｄ／Ａ）変換器およびアナログ−デジタル（Ａ／Ｄ）変換器における非効率性を引き起こす信号の大きさを制限するために、ＤＬにおける直流（ＤＣ）サブキャリアは、通常、送信のために使用されず、ゼロに設定される。ベースバンド信号において、このサブキャリアは、ベースバンド信号におけるＤＣ成分を意味する周波数ゼロに対応する。
【０００５】
ＵＬにおける同様の問題を回避するために、サブキャリアは、中心周波数における送信を回避し、また、サブキャリアの数を節約するために、７．５ｋＨｚだけシフトされる。図１Ａは、たとえば、レガシーＥ−ＵＴＲＡ規格におけるＤＬおよびＵＬにおけるサブキャリア配置を示す。
【０００６】
アップリンクおよびダウンリンクにおけるキャリア周波数は、範囲０〜２６２１４３におけるＥ−ＵＴＲＡ絶対無線周波数チャネル番号（ＥＡＲＦＣＮ）によって指定される。ダウンリンクのＥＡＲＦＣＮとＭＨｚにおけるキャリア周波数との間の関係は、以下の式によって与えられ、ここで、ＦＤＬ＿ｌｏｗおよびＮＯｆｆｓ−ＤＬは、（図１Ｂ〜図１Ｃに示す）３ＧＰＰ技術仕様３６．１０１および３６．１０４の表５．７．３−１において与えられ、ＮＤＬは、ダウンリンクＥＡＲＦＣＮである。
ＦＤＬ＝ＦＤＬ＿ｌｏｗ＋０．１（ＮＤＬ−ＮＯｆｆｓ−ＤＬ）
【０００７】
アップリンクのＥＡＲＦＣＮとＭＨｚにおけるキャリア周波数との間の関係は、以下の式によって与えられ、ここで、ＦＵＬ＿ｌｏｗおよびＮＯｆｆｓ−ＵＬは、３ＧＰＰ技術仕様３６．１０１および３６．１０４の表５．７．３−１において与えられ、ＮＵＬは、アップリンクＥＡＲＦＣＮである。
ＦＵＬ＝ＦＵＬ＿ｌｏｗ＋０．１（ＮＵＬ−ＮＯｆｆｓ−ＵＬ）
【０００８】
Ｅ−ＵＴＲＡ帯域外発射
帯域外発射は、送信機における変調プロセスおよび非線形性から生じる、割り当てられたチャネル帯域幅のすぐ外側の不必要な発射であるが、スプリアス発射は除外する。この帯域幅発射制限は、スペクトル発射マスクと隣接チャネル漏洩電流比（ＡＣＬＲ）の観点から規定される。
【０００９】
スペクトル発射マスクは、割り当てられたＥ−ＵＴＲＡチャネル帯域幅の±エッジから始まる周波数（ΔｆＯＯＢ）に適用される。例として、Ｅ−ＵＴＲＡユーザ機器（ＵＥ）について、発射は、指定されたチャネル帯域幅に関して図２に示す表１において指定されるレベルを超えてはならない。
【００１０】
狭帯域インターネットオブシングス（ＮＢ−ＩｏＴ）
ＧＥＲＡＮ＃６２において、「超低複雑性かつ低スループットのインターネットオブシングスのためのセルラーシステムサポート」に関する検討事項が承認された。目的は、セルラーインターネットオブシングスの要件に対処するための、グローバルシステムフォーモバイルコミュニケーションズ（ＧＳＭ）エンハンスドデータレートフォーＧＳＭエボリューション（ＥＤＧＥ）ラジオアクセスネットワーク（ＧＥＲＡＮ）システムの可能性と、低複雑性かつ低スループットの無線アクセス技術に向けた新しいアクセスシステムの設計の両方を検討することであった。検討の目的は、改善された屋内カバレッジ、大量の数の低スループットデバイスのサポート、低遅延感度、超低デバイスコスト、低デバイス電力消費、および（最適化された）ネットワークアーキテクチャであった。ＰＣＧ＃３４の決定により、単一の「白紙の解決策」の規範的な段階を３ＧＰＰロングタームエボリューション（ＬＴＥ）に移行することが合意された。この特徴は、狭帯域インターネットオブシングス（ＮＢ−ＩＯＴ）と呼ばれる。
【００１１】
３ＧＰＰ  ＬＴＥは、ＵＭＴＳ（ユニバーサルモバイルテレコミュニケーションズサービス）規格を改善することを目的とする、第３世代パートナーシッププロジェクト内のプロジェクトを表す。３ＧＰＰ  ＬＴＥ無線インターフェースは、高いピークデータレート、低遅延、およびスペクトル効率の向上を提供する。ＬＴＥエコシステムは、周波数分割複信（ＦＤＤ）と時分割複信（ＴＤＤ）の両方をサポートする。ＬＴＥは、６つの帯域幅、１．４ＭＨｚ、３ＭＨｚ、５ＭＨｚ、１０ＭＨｚ、１５ＭＨｚおよび２０ＭＨｚをサポートするので、帯域幅に柔軟性を有するので、これは、オペレータがペアのスペクトルとペアでないスペクトルの両方を利用することを可能にする。
【００１２】
ＮＢ−ＩＯＴに関するこの新しい作業項目の目的は、改善された屋内カバレッジ、大量の数の低スループットデバイスのサポート、低遅延感度、超低デバイスコスト、低デバイス電力消費、および（最適化された）ネットワークアーキテクチャに対処する、Ｅ−ＵＴＲＡの後方非互換の変形に大いに基づいて、セルラーインターネットオブシングスのための無線アクセスを指定することである。
【００１３】
ＮＢ−ＩｏＴは、３つの異なる動作モードをサポートすべきである。（１）たとえば、１つまたは複数のＧＳＭキャリアの代わりとしてＧＥＲＡＮシステムによって現在使用されているスペクトルを利用する「スタンドアロン動作」。原理的には、スタンドアロン動作は、別のシステムのキャリア内でも別のシステムの動作キャリアのガードバンド内でもない任意のキャリア周波数において動作する。他のシステムは、別のＮＢ−ＩＯＴ動作または任意の他のＲＡＴ、たとえば、ＬＴＥであり得る。（２）ＬＴＥキャリアのガードバンド内の未使用リソースブロックを利用する「ガードバンド動作」。ガードバンドという用語は、ガード帯域幅と互換的に呼ばれることもある。（３）通常のＬＴＥキャリア内のリソースブロックを利用する「帯域内動作」。帯域内動作は、帯域幅内動作と互換的に呼ばれることもある。
【００１４】
ＮＢ−ＩｏＴでは、ダウンリンク送信は、スタンドアロン、ガードバンド、および帯域内のすべてのシナリオについて１５ｋＨｚのサブキャリア間隔を有するＯＦＤＭに基づく。ＵＬ送信について、ＳＣ−ＦＤＭＡに基づくマルチトーン送信とシングルトーン送信の両方がサポートされる。マルチトーン送信は、１５ｋＨｚのＵＬサブキャリア間隔を有するＳＣ−ＦＤＭＡに基づく。シングルトーン送信について、２つのヌメロロジーが、３．７５ｋＨｚおよび１５ｋＨｚのネットワークによって設定可能であり得る。サイクリックプレフィックスが挿入される。
【００１５】
これは、ダウンリンクにおけるＮＢ−ＩｏＴに関する物理的波形、およびまた部分的にはアップリンクにおけるＮＢ−ＩｏＴに関する物理的波形が、レガシーＬＴＥと同様であることを意味する。
【００１６】
ダウンリンク設計において、ＮＢ−ＩｏＴは、異なる物理的チャネルによって搬送されるマスター情報ブロードキャストとシステム情報ブロードキャストの両方をサポートする。帯域内動作について、ＮＢ−ＩｏＴ  ＵＥが、レガシー物理リソースブロック（ＰＲＢ）インデックスを知ることなく狭帯域物理ブロードキャストチャネル（ＮＢ−ＰＢＣＨ）を復号することが可能である。ＮＢ−ＩｏＴは、ダウンリンク物理制御チャネル（ＮＢ−ＰＤＣＣＨ）とダウンリンク物理共有チャネル（ＰＤＳＣＨ）の両方をサポートする。ＮＢ−ＩｏＴの動作モードは、ＵＥに指示されなければならず、現在の３ＧＰＰは、ＮＢ−ＳＳＳ（２次同期信号）、ＮＢ−ＭＩＢ（マスター情報ブロック）、あるいは他のダウンリンク信号による指示を考慮している。
【００１７】
ＮＢ−ＩｏＴは、物理ブロードキャストチャネル（ＮＰＢＣＨ）、物理ダウンリンク制御チャネル（ＮＰＤＣＣＨ）、物理ダウンリンク共有チャネル（ＰＤＳＣＨ）、物理アップリンク制御チャネル（ＮＰＵＣＣＨ）、物理アップリンク共有チャネル（ＮＰＵＳＣＨ）、物理ランダムアクセスチャネル（ＮＰＲＡＣＨ）をサポートする。
【００１８】
ＮＢ−ＩｏＴの一般的な設計原理は、レガシーＬＴＥの設計原理に従う。ダウンリンク同期信号は一次同期信号（ＮＰＳＳ）および二次同期信号（ＮＳＳＳ）からなる。ＮＰＳＳ送信の周期性は、１０ｍｓである。
【００１９】
また、セル固有参照記号（ＮＲＳ）がＮＢ−ＩｏＴについて定義される。図３は、異なる動作モードに関する、すなわち、ＮＢ−ＩｏＴ帯域内およびガードバンド／スタンドアロンシナリオに関するＮＲＳ参照記号を示す。
【００２０】
ＮＢ−ＩｏＴにおけるチャネル配置
ＮＢ−ＩｏＴのすべての動作モードに関するチャネルラスタは、１００ｋＨｚである。しかしながら、ＮＢ−ＩｏＴのキャリア周波数は、１００ｋＨｚグリッドと比較してオフセットにある可能性がある。たとえば、図４に示すように、１０ＭＨｚシステム帯域幅におけるガードバンド動作の場合、ＬＴＥ送信帯域幅内のＰＲＢ０〜４９に隣接する第１のＰＲＢは、４５９７．５ｋＨｚおよび−４５９７．５ｋＨｚに中心がある。
【００２１】
図５は、異なるＬＴＥシステム帯域幅に関するより高い周波数ガードバンドにおける隣接ＰＲＢに対する中心周波数オフセットを有する表を示す。オフセットは、より低いガードバンドにおける隣接ＰＲＢと同じである。ガードバンド動作は、実行可能であると思われないので、１．４ＭＨｚシステム帯域幅は、除外されている。ガードバンドＰＲＢの中心周波数は、１００ｋＨｚ周波数ラスタから２．５ｋＨｚの倍数にあることがわかる。３ＧＰＰにおいて、ＮＢ−ＩｏＴのＤＬおよびＵＬ中心周波数は、
ＦＤＬ＝ＦＤＬ＿ｌｏｗ＋０．１（ＮＤＬ−ＮＯｆｆｓ−ＤＬ）＋０．００２５＊（２ＭＤＬ＋１）  （１）
ＦＵＬ＝ＦＵＬ＿ｌｏｗ＋０．１（ＮＵＬ−ＮＯｆｆｓ−ＵＬ）＋０．００２５＊（２ＭＵＬ）  （２）
として記述され得、ここで、ＮＤＬおよびＮＵＬは、Ｅ−ＵＴＲＡ絶対無線周波数チャネル番号（ＥＡＲＦＣＮ）である。ＭＤＬおよびＭＵＬは、ラスタに対するＮＢ−ＩｏＴチャネルのオフセットであり、
ＭＤＬ∈｛−１０，−９，−８，−７，−６，−５，−４，−３，−２，−１，−０．５，０，１，２，３，４，５，６，７，８，９｝、
ＭＵＬ∈｛−１０，−９，−８，−７，−６，−５，−４，−３，−２，−１，０，１，２，３，４，５，６，７，８，９｝
である。
【００２２】
ＵＬ周波数キャリアがすべての配備シナリオについて以下のように決定されるべきであることも合意されている。初期アクセスのために、ＮＢ−ＩｏＴ  ＤＬ／ＵＬ周波数分離は、より上位の層（ＳＩＢｘ）によって設定され、セル固有である。初期ランダムアクセス手順が成功した後、ＮＢ−ＩｏＴ  ＤＬ／ＵＬ周波数分離のためのＵＥ固有の設定も存在し得る。
【００２３】
これは、ネットワークシグナリングに基づいて、ＴＸとＲＸとの間の間隔が固定されてもよく、または可変であってよいことを意味する。
【００２４】
ＮＢ−ＩｏＴ帯域外発射
ＮＢ−ＩｏＴ  ＵＥのスペクトル発射マスクは、割り当てられたＮＢ−ＩｏＴ  ＵＥチャネル帯域幅の±エッジから開始する周波数（ΔｆＯＯＢ）に適用される。いずれのカテゴリのＮＢ１  ＵＥ発射の電力も、図６に示す表において指定されたレベルを超えてはならない。
【００２５】
本明細書の背景技術のセクションは、技術的および動作上の文脈内に本開示の実施形態を置き、それらの範囲および有用性を理解する際に当業者を助けるために提供される。明示的にそのように特定されていない限り、本明細書におけるいかなる記述も、単に背景技術のセクションに含まれるだけでは、先行技術であるとは認められない。
【発明の概要】
【００２６】
本明細書における１つまたは複数の実施形態は、第１の無線アクセス技術（ＲＡＴ）のガードバンド内で第２のＲＡＴに従って無線信号を送信するように無線ノードを設定するための方法を含む。方法は、無線信号の送信が第１のＲＡＴに関する発射制限に従うように、第１のＲＡＴのチャネル帯域幅に基づいて、第１のＲＡＴのガードバンド内の第２のＲＡＴに従う無線信号の送信のための１つまたは複数の送信パラメータを決定することを含む。１つまたは複数の送信パラメータは、第１のＲＡＴに関するガードバンド内の無線信号の周波数位置を含む。方法は、第１のＲＡＴのガードバンド内で第２のＲＡＴに従って無線信号を送信するための１つまたは複数の送信パラメータを用いて無線ノードを設定することも含む。
【００２７】
いくつかの実施形態では、１つまたは複数の送信パラメータは、無線信号が第２のＲＡＴに従って送信されるべきキャリア周波数を含む。この場合、１つまたは複数の送信パラメータを決定することは、第１のＲＡＴのチャネル帯域幅のエッジを規定するエッジ周波数と、そのエッジ周波数に対する規定された周波数オフセットとに基づいてキャリア周波数を決定することを含んでもよい。いくつかの実施形態では、方法は、第１のＲＡＴのチャネル帯域幅に基づいて、規定された周波数オフセットを決定することをさらに含んでもよく、規定された周波数オフセットは、第１のＲＡＴの異なる可能なチャネル帯域幅に対して規定される。代替的にまたは加えて、規定された周波数オフセットは、第１のＲＡＴに関する発射要件に基づいて指定されてもよい。
【００２８】
いくつかの実施形態では、１つまたは複数の送信パラメータを決定することは、第２のＲＡＴに従って無線信号の送信を管理するスペクトル発射マスクが第１のＲＡＴを管理するスペクトル発射マスク内にあるように、無線信号の周波数位置を決定することを含んでもよい。
【００２９】
いくつかの実施形態では、第２のＲＡＴに関する発射制限は、無線信号が第１のＲＡＴに関するガードバンド内で送信されるかどうかにかかわらず、第２のＲＡＴに従って無線信号を送信するのに適用可能な公称発射制限として指定され、第１のＲＡＴに関するガードバンド内で第２のＲＡＴに従って無線信号を送信するために、公称発射制限に加えて追加の発射制限が適用可能である。この場合、追加の発射制限は、第１のＲＡＴに関するチャネル帯域幅のエッジからの無線信号の周波数オフセットに依存してもよく、追加の発射制限は、周波数オフセットが規定された閾値よりも小さい場合に強制されてもよく、周波数オフセットが規定された閾値よりも大きいときには強制されない。これらの実施形態のうちのいくつかでは、規定された閾値は、第１のＲＡＴに関するチャネル帯域幅のサイズに依存する。
【００３０】
いくつかの実施形態では、第２のＲＡＴに関するスペクトル発射マスクは、第２のＲＡＴのチャネル帯域幅のエッジから開始する周波数に適用される。この場合、１つまたは複数の送信パラメータを決定することは、第１のＲＡＴのチャネル帯域幅のエッジからのオフセット周波数に関する第２のエッジに関するスペクトル発射マスクに対して指定された要件に基づいて周波数位置を決定することを含んでもよい。これらの実施形態のうちのいくつかでは、オフセット周波数は、第１のＲＡＴのチャネル帯域幅のサイズに依存する。代替的には、１つまたは複数の送信パラメータを決定することは、第１のＲＡＴのチャネル帯域幅の異なる可能なサイズに対して要求されるそれぞれのオフセット周波数を指定するテーブルに基づいて周波数位置を決定することを含んでもよい。
【００３１】
いくつかの実施形態では、１つまたは複数の送信パラメータを決定することは、少なくとも第１のＲＡＴのチャネル帯域幅のエッジと第２のＲＡＴのチャネル帯域幅のエッジとの間の特定の周波数オフセットの要件に基づいて周波数位置を決定することを含んでもよい。これらの実施形態のうちのいくつかでは、要求される特定の周波数オフセットは、第１のＲＡＴのチャネル帯域幅のサイズに依存する。
【００３２】
いくつかの実施形態では、１つまたは複数の送信パラメータを決定することは、第１のＲＡＴのチャネル帯域幅のエッジからのオフセット周波数に関する要件に基づいて周波数位置を決定することを含んでもよい。
【００３３】
いくつかの実施形態では、１つまたは複数の送信パラメータを決定することは、第１のＲＡＴと第２のＲＡＴの両方に関する発射制限に従うように、無線信号の送信のための１つまたは複数の送信パラメータを決定することを含んでもよい。
【００３４】
いくつかの実施形態では、方法は、基地局によって実行され、前記設定することは、１つまたは複数の送信パラメータを無線ノードに示すことを含む。代替的には、方法は、無線ノードによって実行されてもよく、１つまたは複数の送信パラメータを用いて設定されるように無線信号を送信することをさらに含んでもよい。
【００３５】
これらの実施形態のいずれにおいても、無線ノードは、ユーザ機器であってもよい。
【００３６】
実施形態は、対応する装置、コンピュータプログラム、キャリア、および非一時的コンピュータ可読媒体も含む。
【００３７】
たとえば、いくつかの実施形態は、第１の無線アクセス技術（ＲＡＴ）に関するガードバンド内で、第２のＲＡＴに従って無線信号を送信するように無線ノードを設定するための基地局を含む。基地局は、無線信号の送信が第１のＲＡＴに関する発射制限に従うように、第１のＲＡＴのチャネル帯域幅に基づいて、第２のＲＡＴに従う無線信号の送信のための１つまたは複数の送信パラメータを決定するように設定されてもよい。いくつかの実施形態では、１つまたは複数の送信パラメータは、第１のＲＡＴのガードバンド内の無線信号の周波数位置を含む。基地局はまた、第１のＲＡＴのガードバンド内で第２のＲＡＴに従って無線信号を送信するための１つまたは複数の送信パラメータを用いて無線ノードを設定するように設定されてもよい。基地局は、たとえば、１つまたは複数の送信パラメータを無線ノードに示すことによってそうしてもよい。
【００３８】
実施形態は、第１の無線アクセス技術（ＲＡＴ）に関するガードバンド内で、第２のＲＡＴに従って無線信号を送信するためのユーザ機器も含む。ユーザ機器は、無線信号の送信が第１のＲＡＴに関する発射制限に従うように、第１のＲＡＴのチャネル帯域幅に基づいて、第２のＲＡＴに従う無線信号の送信のための１つまたは複数の送信パラメータを決定するように設定されてもよい。１つまたは複数の送信パラメータは、第１のＲＡＴのガードバンド内の無線信号の周波数位置を含んでもよい。基地局はまた、第１のＲＡＴのガードバンド内で第２のＲＡＴに従って１つまたは複数の送信パラメータを用いて無線信号を送信するようにも設定される。
【００３９】
このセクションは、当業者に基本的な理解を提供するために本開示の単純化された概要を提示する。この概要は、本開示の広範な概観ではなく、本開示の実施形態の重要な／決定的な要素を示すこと、または本開示の範囲を叙述することを意図していない。この概要の唯一の目的は、後で提示されるより詳細な説明の前置きとして、本明細書で開示されるいくつかの概念を単純化された形態で提示することである。
【００４０】
本開示について、本開示の実施形態が示されている添付図面を参照して、以下により完全に説明する。しかしながら、本開示は、本明細書に記載の実施形態に限定されるものと解釈されるべきではない。むしろ、これらの実施形態は、本開示が徹底的かつ完全であり、本開示の範囲を当業者に完全に伝えるように提供される。同様の番号は、全体を通して同様の要素を指す。
【図面の簡単な説明】
【００４１】
【図１Ａ】Ｅ−ＵＴＲＡシステムにおけるサブキャリア配置を示すブロック図である。
【図１Ｂ】Ｅ−ＵＴＲＡチャネル番号の表である。
【図１Ｃ】Ｅ−ＵＴＲＡチャネル番号の表である。
【図２】Ｅ−ＵＴＲＡスペクトル発射マスクを示すブロック図である。
【図３】帯域内シナリオおよびガードバンド／スタンドアロンシナリオに関するＮＢ−ＩｏＴに関するセル固有の参照信号を示すブロック図である。
【図４】１０ＭＨｚ  ＬＴＥシステム帯域幅におけるガードバンド動作に関する隣接ＬＴＥ  ＰＲＢを示すブロック図である。
【図５】異なるＬＴＥシステム帯域幅に関するガードバンドＰＲＢの中心周波数オフセットを示すブロック図である。
【図６】ＮＢ−ＩｏＴ  ＵＥスペクトル発射マスクを示すブロック図である。
【図７】本開示に記載の様々な態様による無線アクセス技術のガードバンドにおける送信を設定するためのシステムの一実施形態を示すブロック図である。
【図８】いくつかの実施形態による設定ノードによって実行される方法の論理フロー図である。
【図９Ａ】いくつかの実施形態によるＮＢ−ＩｏＴのスペクトル発射マスクとＬＴＥのスペクトル発射マスクとの間の重なりを示すグラフである。
【図９Ｂ】いくつかの実施形態によるＬＴＥチャネル帯域幅の異なるサイズに関するそれぞれのオフセット周波数を示す表である。
【図１０】いくつかの実施形態による第１および第２のＲＡＴに関するスペクトル発射マスクのブロック図である。
【図１１】他の実施形態による第１および第２のＲＡＴに関するスペクトル発射マスクのブロック図である。
【図１２】いくつかの実施形態によるＲＡＴ１のガードバンドにおける異なるＲＡＴのブロック図である。
【図１３】他の実施形態による設定ノードによって実行される方法の論理フロー図である。
【図１４】さらに他の実施形態による設定ノードによって実行される方法の論理フロー図である。
【図１５】いくつかの実施形態による設定ノードのブロック図である。
【図１６】他の実施形態による設定ノードのブロック図である。
【図１７】いくつかの実施形態によるＲＡＴ１のガードバンドにおけるＲＡＴ２電力低減のブロック図である。
【図１８】本明細書に記載の様々な態様による無線アクセス技術のガードバンドにおける送信を設定するための設定ノードの一実施形態を示す図である。
【図１９】本明細書に記載の様々な態様による無線アクセス技術のガードバンドにおける送信を設定するための設定ノードの別の実施形態を示す図である。
【図２０】本明細書に記載の様々な態様による無線アクセス技術のガードバンドにおける送信を設定するための設定ノードの別の実施形態を示す図である。
【図２１】本明細書に記載の様々な態様による無線アクセス技術のガードバンドにおける送信を設定するための設定ノードの別の実施形態を示す図である。本明細書に記載の様々な態様による設定ノードの。
【発明を実施するための形態】
【００４２】
図７は、本明細書に記載の様々な態様による無線アクセス技術のガードバンドにおける送信を設定するためのシステム７００の一実施形態を示す。第１のワイヤレス通信システム（たとえば、広帯域ＬＴＥ）は、送信帯域幅７３３と１つまたは複数のガードバンド７３５ａ〜ｂとを含むチャネル帯域幅７３１を有してもよい。一例では、第１のワイヤレス通信システムは、ＬＴＥ、ＬＴＥ−ＮＸ、ＵＭＴＳ、ＧＳＭなどのような１つまたは複数の広帯域通信システムであってもよい。第１のシステムは、７２１によって参照されるように、第１の無線アクセス技術（ＲＡＴ）（たとえば、ＬＴＥ、ＬＴＥ−ＮＸ、ＵＭＴＳ、ＧＳＭなど）を使用して、送信帯域幅７３３における周波数リソース上で動作してもよい。一例では、周波数リソースは、連続周波数の範囲、物理リソースブロックなどであってもよい。別の例では、周波数リソースは、単一のサブキャリア、複数の連続するサブキャリアなどであってもよい。第２のワイヤレス通信システム（たとえば、狭帯域ＩｏＴシステム）は、第２のＲＡＴ（たとえば、ＮＢ−ＩｏＴ）を使用して、第１のシステムのチャネル帯域幅７３１内の１つもしくは複数の周波数リソース、そのような帯域幅外、またはその両方において動作してもよい。一例では、第２のワイヤレス通信システムは、ＮＢ−ＩｏＴのようなもう１つの狭帯域通信システムであってもよい。
【００４３】
一実施形態では、第１のシステムは、カバレッジエリア７０３を有する第１のネットワークノード７０１（たとえば、基地局）を含んでもよい。第１のネットワークノード７０１は、第１のＲＡＴを使用して、送信帯域幅７３３内の周波数リソースをサポートするように設定されてもよい。さらに、第１のネットワークノード７０１は、第１のＲＡＴを使用して、送信帯域幅７３３内の周波数リソース上でワイヤレスデバイス（たとえば、ユーザ機器（ＵＥ））にサーブしてもよい。第２のシステムは、カバレッジエリア７１３を有する第２のネットワークノード７１１（たとえば、基地局）を含んでもよい。第２のネットワークノード７１１は、第２のＲＡＴを使用して、第１のシステムのチャネル帯域幅７３１内の１つもしくは複数の周波数リソース、そのような帯域幅外、またはその両方をサポートするように設定されてもよい。一例では、第１のネットワークノード７１１は、第２のＲＡＴを使用して、第１のシステムのガードバンド７３５ａ内の周波数リソースをサポートするように設定されてもよく、たとえば、ガードバンドは、送信帯域幅のエッジとチャネル帯域幅のエッジとの間の周波数の範囲である。第２のネットワークノード７１１はまた、第２のＲＡＴを使用して、１つまたは複数の周波数リソース上でワイヤレスデバイス（たとえば、ＵＥ）にサーブしてもよい。たとえば、第２のネットワークノード７１１は、７２３によって参照されるように、第２のＲＡＴを使用して、第１のシステムのガードバンド７３５ａ内の１つまたは複数の周波数リソース上でワイヤレスデバイス７０５にサーブしてもよい。第１および第２のネットワークノード７０１および７１１の各々は、基地局、アクセスポイント、ワイヤレスルータなどであってもよい。さらに、第１のネットワークノード７０１および第２のネットワークノード７１１は、同じネットワークノード、または異なるネットワークノードであってもよい。
【００４４】
別の実施形態では、第２のネットワークノード７１１は、第２のＲＡＴに従って第１のＲＡＴに関するガードバンド７３５ａ内で無線信号７０９を送信するようにワイヤレスデバイス７０５を設定してもよい。さらに、第２のネットワークノード７１１は、第１のＲＡＴに関する発射制限に従うように、第２のＲＡＴに従う無線信号７０９の送信のための１つまたは複数の送信パラメータを決定してもよい。１つまたは複数の送信パラメータは、第１のＲＡＴのガードバンド内の無線信号７０９の周波数位置を含んでもよい。代替的にまたは加えて、１つまたは複数の送信パラメータは、無線信号の信号レベル、無線信号の最大信号レベル、第２のシステムに関するサブキャリアの周波数割振り、トランスポートフォーマット（たとえば、変調方式、符号化方式、トランスポートブロックサイズなど）など、またはそれらの任意の組合せを含んでもよい。また、第２のネットワークノード７１１は、第１のＲＡＴのガードバンド７３５ａ内で無線信号７０９を送信するための１つまたは複数の送信パラメータを用いてワイヤレスデバイス７０５を設定してもよい。第２のネットワークノード７１１は、たとえば、システム情報、制御シグナリングなどを介して、たとえば、１つまたは複数の送信パラメータをワイヤレスデバイス７０５に示してよい。
【００４５】
別の実施形態では、ワイヤレスデバイス７０５は、第２のＲＡＴに従って第１のＲＡＴのためのガードバンド７３５ａ内で無線信号７０９を送信するようにそれ自体を設定してもよい。具体的には、ワイヤレスデバイス７０５は、第１のＲＡＴに関する発射制限に従うように、第２のＲＡＴに従う無線信号７０９の送信のための１つまたは複数の送信パラメータを決定してもよい。また、ワイヤレスデバイス７０５は、第１のＲＡＴのガードバンド７３５ａ内で無線信号７０９を送信するための１つまたは複数の送信パラメータを用いてそれ自体を設定してもよい。
【００４６】
無線信号７０９を送信するようにワイヤレスデバイス７０５を設定することに関して上記に例示したが、本明細書の実施形態は、無線信号を送信するように任意の他の種類の無線ノード（たとえば、基地局）を設定することも含む。したがって、一般に、本明細書の実施形態は、上記で説明したように、第１のＲＡＴのガードバンド内で第２のＲＡＴに従って無線信号を送信するように無線ノードを設定する、いわゆる設定ノードを含む。設定ノードは、無線ノード自体、無線信号が送信されるべき無線ノード、またはなにか他のノードであってもよい。
【００４７】
したがって、図８は、一般に、第１のＲＡＴのガードバンド内で第２のＲＡＴに従って無線信号を送信するように無線ノードを設定するための任意のいわゆる設定ノードによって実行される方法を示す。図示のように、方法は、第１のＲＡＴに関する発射制限に従うように、第２のＲＡＴに従う無線信号の送信のための、すなわち、第１のＲＡＴに関する発射制限に従う無線信号の送信のための１つまたは複数の送信パラメータを決定することを含む（ブロック８０１）。いくつかの実施形態では、無線ノードはまた、第２のＲＡＴに関する発射制限に従うように、すなわち、送信が第１のＲＡＴと第２のＲＡＴの両方に関する発射制限に従うように、送信のための１つまたは複数の送信パラメータを決定する。それにもかかわらず、方法は、第１のＲＡＴのガードバンド内で第２のＲＡＴに従って無線信号を送信するための１つまたは複数の送信パラメータを用いて無線ノードを設定することも含む（ブロック８０３）。たとえば、設定ノードが基地局自体である場合、そのような設定することは、１つまたは複数の送信パラメータを無線ノードに示すことを含んでもよいが、設定ノードが無線オード自体である場合、そのような設定することは、無線信号の送信を管理する無線ノードの１つまたは複数の設定またはパラメータを制御することを含んでもよい。
【００４８】
いくつかの実施形態によれば、１つまたは複数の送信パラメータは、第１のＲＡＴのガードバンド内の無線信号の周波数位置を含む。周波数位置は、無線信号が第２のＲＡＴに従って送信されるべきキャリア周波数（たとえば、中心周波数）によって表されてもよく、またはそれによって管理されてもよい。このキャリア周波数は、今度は、チャネル番号によって表されてもよい。周波数位置がどのように表されるかまたは管理されるかにかかわらず、いくつかの実施形態は、周波数位置において特定される特定の制限に基づいてその周波数位置を決定する。これらの制限は、無線信号の送信が第１のＲＡＴに関する発射制限を満たすこと、たとえば、第２のＲＡＴに従う無線信号の送信が、第１のＲＡＴに対して許可された発射よりも多い発射を引き起こさないことを確実にする、または保証することができる。
【００４９】
これらおよび他の実施形態では、１つまたは複数の送信パラメータ（たとえば、周波数位置）を決定することは、第１のＲＡＴのチャネル帯域幅に基づいてもよい。いくつかの実施形態は、たとえば、第１のＲＡＴのチャネル帯域幅のエッジからのオフセット周波数に関する要件に基づいて周波数位置を決定する。１つのそのような実施形態では、周波数位置は、少なくとも第１のＲＡＴのチャネル帯域幅のエッジと第２のＲＡＴのチャネル帯域幅のエッジとの間の特定の周波数オフセットの要件に基づいて決定される。たとえば、周波数位置がキャリア周波数によって表される場合、実施形態は、第１のＲＡＴのチャネル帯域幅のエッジを規定するエッジ周波数と、そのエッジ周波数に対する規定された周波数オフセットとに基づいてキャリア周波数を決定してもよい。
【００５０】
周波数位置がどのように表されるかにかかわらず、要求される特定の周波数オフセットは、第１のＲＡＴのチャネル帯域幅のサイズに依存してもよく、たとえば、より大きい第１のＲＡＴチャネル帯域幅サイズに対して、より大きいオフセットが必要とされる。たとえば、第１のＲＡＴの異なる可能なチャネル帯域幅に対して、それぞれの周波数オフセットが定義されてもよい。具体的には、周波数位置は、第１のＲＡＴのチャネル帯域幅の異なる可能なサイズに対して要求されるそれぞれのオフセット周波数を指定する表に基づいて決定されてもよい。
【００５１】
しかし、どのように定義または決定されても、たとえば、少なくとも無線信号の送信が第２のＲＡＴに関する発射制限を満たすと仮定すると、いくつかの実施形態における周波数オフセットは、無線信号の送信が第１のＲＡＴに関する発射制限を満たすことを保証する。実際、いくつかの実施形態では、周波数オフセットは、無線信号の送信が第２のＲＡＴに関する発射制限を満たす限り、無線信号の送信が、たとえば、第１のＲＡＴのチャネル帯域幅エッジに対する周波数オフセットにより、第１のＲＡＴに関する発射制限も満たすことが保証されるように定義される。この意味において、このとき、周波数オフセットは、第１のＲＡＴに関する発射要件に基づいて指定されてもよい。したがって、いくつかの実施形態は、第２のＲＡＴに従う無線信号の送信を管理するスペクトル発射マスクが第１のＲＡＴを管理するスペクトル発射マスク内にあるか、またはその中にとどまっているように、無線信号の周波数位置を効果的に決定する。これは、第１のＲＡＴのガードバンドにおける第２のＲＡＴの性能を向上させることができ、および／または、第１のＲＡＴのキャリア周波数に隣接するキャリア周波数において動作する他のシステムへの干渉を低減／回避することができる。
【００５２】
したがって、上記の実施形態は、それらの要件がチャネル帯域幅エッジに対して効果的に定義されるので、スペクトル発射マスク間またはスペクトル発射要件間の関係に関して指定され得ることに留意されたい。たとえば、いくつかの実施形態では、第２のＲＡＴに関するスペクトル発射マスクは、第２のＲＡＴのチャネル帯域幅のエッジから開始する周波数に適用され、周波数位置は、第１のＲＡＴのチャネル帯域幅のエッジからのオフセット周波数に関して第２のＲＡＴに関するスペクトル発射マスクに対して指定された要件に基づいて決定される。スペクトル発射マスクは、第２のＲＡＴに関するチャネル帯域幅エッジを規定するので、これは、事実上、第２のＲＡＴのチャネル帯域幅のエッジと第１のＲＡＴのチャネル帯域幅のエッジとの間に特定の周波数オフセットが存在することを意味する。再び、この周波数オフセットは、第１のＲＡＴのチャネル帯域幅のサイズに依存してもよい。
【００５３】
別の観点から、いくつかの実施形態が、特定の周波数に適用される第１のＲＡＴに関する発射制限に関して指定されてもよい。第１のＲＡＴに関する発射制限は、たとえば、その周波数と第２のＲＡＴのチャネル帯域幅のエッジとの間に（単なる）特定のオフセットを有する任意の周波数に適用されてもよい。第１のＲＡＴに関する発射制限が適用される周波数は、第１のＲＡＴのチャネル帯域幅のエッジにおいて開始するので、これは、事実上、第１のＲＡＴのチャネル帯域幅のエッジと第２のＲＡＴのチャネル帯域幅のエッジとの間に特定のオフセットが存在することを必要とする。
【００５４】
これらの実施形態のうちのいくつかでは、たとえば、無線信号が第１のＲＡＴに関するガードバンドにおいて送信されるかどうかにかかわらず、第２のＲＡＴに従って無線信号を送信するために、公称発射制限が適用可能である。さらに、第１のＲＡＴに関するチャネル帯域幅のエッジからの無線信号の周波数オフセットに応じて、第１のＲＡＴに関するガードバンドにおいて第２のＲＡＴに従って無線信号を送信するために、公称発射制限に加えて追加の発射制限が適用可能である。追加の発射制限は、周波数オフセットが規定された閾値よりも小さいときに強制されてもよく、周波数オフセットが規定された閾値よりも大きいときには強制されなくてもよい。この規定された閾値は、第１のＲＡＴに関するチャネル帯域幅のサイズに依存してもよい。
【００５５】
実際、いくつかの実施形態では、本明細書の無線ノードは、第２のＲＡＴに対して指定された公称発射制限に従うように、第２のＲＡＴに従って無線信号を送信する。無線ノードは、第１のＲＡＴのガードバンドにおいて無線信号を送信するときに、追加の発射制限に従って選択的に無線信号を送信する。すなわち、無線ノードは、第１のＲＡＴのガードバンド外で送信されるときには、追加の発射制限に関係なく無線信号を送信するが、ガードバンドにおいて送信されるときには、それらの追加の発射制限に従って無線信号を送信する。したがって、追加の発射制限は、ガードバンド固有の発射制限と呼ばれることがある。いくつかの実施形態では、追加の発射制限は、たとえば、チャネル帯域幅および周波数オフセットに応じて異なって発射を制限するように、第１のＲＡＴのチャネル帯域幅、および／または第１のＲＡＴのチャネル帯域幅のエッジからの無線信号の周波数オフセットに基づいて発射制限を指定する。ここでの発射制限は、帯域外発射、帯域内発射、および／または隣接チャネル漏洩（たとえば、ＡＣＬＲの点で）を制限してもよい。
【００５６】
上記の実施形態の以下の例を検討し、ＲＡＴ１への言及は、上記の第１のＲＡＴに関し、ＲＡＴ２への言及は、上記の第２のＲＡＴに関する。ＲＡＴ１における信号は、チャネル帯域幅外の特定の発射要件を満たすべきである。しかしながら、これまでＲＡＴ２にあったＵＥまたはネットワークノードは、ＲＡＴ２のみの発射要件を満たす。ＲＡＴ２がＲＡＴ１のガードバンドにおいて動作するとき、ＲＡＴ２におけるネットワークノードおよび／またはＵＥは、両方の要件を満たす必要がある。
【００５７】
図９Ａは、１０ＭＨｚ  ＬＴＥのガードバンド内に配置されたＮＢ−ＩｏＴ発射マスクを例として示し、この場合のＬＴＥおよびＮＢ−ＩｏＴは、それぞれ、第１および第２のＲＡＴである。ＮＢ−ＩｏＴの発射マスクは、実線によって表され、１０ＭＨｚ  ＬＴＥの発射マスクは、点線によって表される。図９Ａの小さいボックスにおいて示されているように、ＮＢ−ＩｏＴの発射マスクは、ＬＴＥの発射マスクを横切る。
【００５８】
ＲＡＴ２における無線ノード（たとえば、ＵＥまたは基地局（ＢＳ））の信号レベルが、その帯域内発射要件および帯域外発射要件を含めて、ＲＡＴ１の要件を満たすことを保証するために、本明細書のいくつかの実施形態は、ＲＡＴ２の動作キャリア、またはガードバンドにおけるＲＡＴ２の発射要件に対する特定の制約を指定する。実施形態は、たとえば、絶対周波数またはチャネル番号を決定し、それを示し、それにＲＡＴ２キャリア周波数を適合させてもよい。これらの実施形態のステップは、ネットワークノードもしくはＵＥノードにおいて、または２つのノード間の協力において行うことができる。それにもかかわらず、実施形態は、ＲＡＴ１のガードバンド内でＲＡＴ２において動作する無線ノード（たとえば、ＵＥまたはＢＳ）が、ＲＡＴ１において動作する別のノード（たとえば、ＵＥまたはＢＳ）によって引き起こされる発射よりも多くの発射を引き起こさないことを確実にする。この態様によれば、ＲＡＴ２がＲＡＴ１のチャネル帯域幅内で動作するとき、ＲＡＴ２のキャリア周波数またはチャネル番号は、ＲＡＴ２のスペクトル発射マスクおよび／またはＲＡＴ２における信号レベルがＲＡＴ１のスペクトルマスクの制限内にとどまるように決定される。
【００５９】
ＮＢ−ＩｏＴおよびＬＴＥの例に関して、ＬＴＥのガードバンドにおけるＮＢ−ＩｏＴもＬＴＥ発射要件を満たすことを保証するために、いくつかの実施形態は、ＬＴＥのガードバンドにおけるＮＢ−ＩｏＴがＬＴＥ帯域エッジから特定のオフセットを有することを要求する。具体的には、ガードバンドにおいて動作するとき、図６におけるスペクトル発射要件に加えて、カテゴリＮＢ１  ＵＥは、ＬＴＥチャネル帯域幅のエッジからのオフセット周波数に関して、図９Ｂに示す表における追加要件を満たすべきである。この表は、カテゴリＮＢ１  ＵＥスペクトル発射マスクに関する追加要件を指定する。
【００６０】
これらの実施形態における追加の例示的な規則が図１０に示されている。図示のように、第１のＲＡＴのチャネル帯域幅１００２は、チャネル帯域幅１００２の上側エッジを規定する上側チャネルエッジ周波数ｆ２＿ｕを有する。チャネル帯域幅１００２内で、ガードバンドは、上側チャネルエッジ周波数ｆ１＿ｕと、チャネル帯域幅１００２のエッジを規定する上側チャネルエッジ周波数ｆ２＿ｕとの間に規定される。図１０は、チャネル帯域幅１００４のエッジを規定する上側チャネルエッジ周波数ｆ４を有する第２のＲＡＴのチャネル帯域幅１００４も示し、その上側チャネルエッジ周波数ｆ４と上側送信エッジ周波数ｆ３との間にガードバンドが規定されている。第２のＲＡＴのキャリア（すなわち、中心）周波数は、ｆｃ２＿ｕとして示されている。特に、図１０は、いくつかの実施形態では、第２のＲＡＴにおけるキャリア周波数が、ｆ４＜ｆ２＿ｕとなるように、すなわち、第２のＲＡＴのチャネル帯域幅のエッジが第１のＲＡＴのチャネル帯域幅のエッジからオフセットされるように決定されることを示す。これは、ＲＡＴ２の中心周波数が上側チャネルエッジ周波数ｆ２＿ｕよりも低いことを必要とする。動作の中心周波数は、典型的には、ＥＡＲＦＣＮのような周波数チャネル番号によって示される。
【００６１】
いくつかの実施形態における上記の制約における例示的な周波数ｆ２＿ｕおよびｆ４は、スペクトル発射マスクにおける異なる限界点であり、その場合、最も厳重なものが適用される。これは、図１１に示されており、この例において最も厳重な要件は、ｆ６＜ｆ５＿ｕである。
【００６２】
上記の例における（たとえば、第２のＲＡＴの無線信号の周波数位置に対する）制約は、いくつかの可能な周波数位置参照のいずれかに関する規則として表すことができることに留意されたい。一例では、規則は、ＲＡＴ１のチャネル帯域幅に対するＲＡＴ２の中心周波数、ＲＡＴ１の送信帯域幅設定などを制約する。
【００６３】
そのような規則の一例によれば、ＲＡＴ１のガードバンドにおけるノードのＲＡＴ２動作のための周波数（ｆｃ２）は、以下の一般式によって表すことができ、
ｆｃ２＝ｇ１（ｆ１，Δｆ）    （３）
ここで、ｆ１は、ＲＡＴ１の送信ＢＷのエッジの周波数であり、Δｆは、送信帯域幅（ｆ１）のエッジからのオフセットである。
【００６４】
Δｆの値は、いくつかの実施形態では、中心周波数ｆ２を有するＲＡＴ２において動作するノード（たとえば、ＵＥまたはＢＳ）の発射マスクが、ＲＡＴ１において動作するノード（たとえば、ＵＥまたはＢＳ）の発射マスクの制限を超えないように選択される。発射マスクは、ノードの送信帯域幅外の異なる周波数における電力レベルとして定義される。ＲＡＴ２の発射マスクは、任意の所与の周波数（ｆｇ）におけるＲＡＴ２発射マスクの電力レベルが同じ周波数（すなわち、ｆｇ）におけるＲＡＴ１発射マスクの電力レベルよりも大きくない限り、ＲＡＴ１の発射マスクの制限内にあるとみなされる。Δｆの値は、ＲＡＴ１およびＲＡＴ２のチャネル帯域幅に依存する。ＲＡＴ２が２００ｋＨｚの固定チャネルＢＷを有するとすると（すなわち、ＲＡＴ２がＮＢ−ＩｏＴである場合）、その値は、ＲＡＴ１の異なるチャネルＢＷに対して定義される（たとえば、ＬＴＥに関して１．４、３、５、１０、１５、および２０ＭＨｚ）。
【００６５】
典型的には、ｆｃ２は、ＲＡＴ２動作の中心周波数である。ｆｃ２は、チャネル番号、たとえば、ＥＡＲＦＣＮで表現することができる。
【００６６】
ＲＡＴ２は、ＲＡＴ１の送信ＢＷ（ｆ１＿ｕ）の上に生じるガードバンドにおいて、またはＲＡＴ１の送信ＢＷ（ｆ１＿ｌ）の下のガードバンドにおいて動作され得る。ｆｃ２＿ｕおよびｆｃ２＿ｌが、それぞれ、ｆ１＿ｕの上のガードバンドおよびｆ１＿ｌの下のガードバンドにおけるＲＡＴ２動作の周波数を表すと仮定する。式（３）は、以下のように上側および下側のガードバンドにおける２つの動作に対して拡張され得る。
ｆｃ２＿ｕ＝ｇ２（ｆ１＿ｕ，Δｆ）  （４）
ｆｃ２＿ｌ＝ｇ３（ｆ１＿ｌ，Δｆ）  （５）
【００６７】
ＲＡＴ１の上側ガードバンドにおけるＲＡＴ２動作に関するアップリンクおよびダウンリンク中心周波数は、ｆｃ２＿ｕ＿ｕｌおよびｆｃ２＿ｕ＿ｄｌによって表され、以下の式を使用することによって決定され、
ｆｃ２＿ｕ＿ｕｌ＝ｇ４（ｆ１＿ｕ＿ｕｌ，Δｆ１）  （６）
ｆｃ２＿ｕ＿ｄｌ＝ｇ５（ｆ１＿ｕ＿ｄｌ，Δｆ２）  （７）
ここで、Δｆ１およびΔｆ２は、それぞれ、ＵＬおよびＤＬに関する周波数オフセットである。それらは、同じ（すなわち、Δｆ１＝Δｆ２＝Δｆ）であってもよく、または異なってもよい。
【００６８】
ＲＡＴ１の下側ガードバンドにおけるＲＡＴ２動作に関するアップリンクおよびダウンリンク中心周波数は、ｆｃ２＿ｌ＿ｕｌおよびｆｃ２＿ｌ＿ｄｌによって表され、以下の式を使用することによって決定される。
ｆｃ２＿ｌ＿ｕｌ＝ｇ６（ｆ１＿ｌ＿ｕｌ，Δｆ１）  （８）
ｆｃ２＿ｌ＿ｄｌ＝ｇ７（ｆ１＿ｌ＿ｄｌ，Δｆ２）  （９）
【００６９】
特定の例として、ＲＡＴ１の上側ガードバンドにおけるＲＡＴ２動作に関するｆｃ２を規定する規則は、以下の式によって表すことができる。
ｆｃ２＿ｕ＜ｆ１＿ｕ＋Δｆ  （１０）
【００７０】
例として、ＲＡＴ１の下側ガードバンドにおけるＲＡＴ２動作に関するｆｃ２を規定する規則は、以下の式によって表すことができる。
ｆｃ２＿ｌ＜ｆ１＿ｌ−Δｆ  （１１）
【００７１】
特定の例として、ＲＡＴ１の上側ガードバンドにおけるＲＡＴ２動作に関するアップリンクおよびダウンリンク中心周波数（ｆｃ２＿ｕ＿ｕｌおよびｆｃ２＿ｕ＿ｄｌ）は、以下の式を使用することによって決定される。
ｆｃ２＿ｕ＿ｕｌ＜ｆ１＿ｕ＿ｕｌ＋Δｆ１  （１２）
ｆｃ２＿ｕ＿ｄｌ＜ｆ１＿ｕ＿ｄｌ＋Δｆ２  （１３）
【００７２】
また、特定の例として、ＲＡＴ１の下側ガードバンドにおけるＲＡＴ２動作に関するアップリンクおよびダウンリンク中心周波数（ｆｃ２＿ｌ＿ｕｌおよびｆｃ２＿ｌ＿ｄｌ）は、以下の式を使用することによって決定される。
ｆｃ２＿ｌ＿ｕｌ＜ｆ１＿ｌ＿ｕｌ＋Δｆ１  （１４）
ｆｃ２＿ｌ＿ｄｌ＜ｆ１＿ｌ＿ｄｌ＋Δｆ２  （１５）
【００７３】
上記の説明は、ＵＥおよびネットワークノードの両方に適用されるため、ＲＡＴ２に関するダウンリンク周波数とアップリンク周波数の両方に対する制約が存在する。ＲＡＴ２が柔軟なＴＸ−ＲＸ周波数分離を有する場合、２つの制約は、互いに独立している。柔軟なＴＸ−ＲＸ周波数分離は、可変ＴＸ−ＲＸ周波数分離または可変ＴＸ−ＲＸ周波数間隔とも呼ばれる。
【００７４】
他の実施形態によれば、絶対チャネル番号またはチャネルラスタに対するオフセットが決定され、示され、適用されてもよい。すなわち、いくつかの実施形態では、ＲＡＴ１のガードバンド内での動作の周波数に関してＲＡＴ２の位置を決定する規則は、絶対無線周波数チャネル番号（ＥＡＲＦＣＮ）および／またはチャネルラスタに対するオフセットの形態で指定される。
【００７５】
そのような規則の例は、ＮＤＬ／ＭＤＬおよび／またはＮＵＬ／ＭＵＬに対する特定の制約とすることができる。ＲＡＴ２が固定ＴＸ−ＲＸ周波数間隔を有する場合、ＲＡＴ２のＵＬおよびＤＬ周波数に対する２つの制約は、互いに独立していない。固定ＴＸ−ＲＸ間隔の場合、ＵＬキャリアおよびＤＬキャリアの中心周波数は、ＵＬおよびＤＬキャリア周波数の値に関係なく固定周波数オフセットまたは分離によって分離される。固定周波数間隔は、固定ＴＸ−ＲＸキャリア周波数分離、ＴＸ−ＲＸ周波数分離、固定ＴＸ−ＲＸデュプレックス、固定ＴＸ−ＲＸデュプレックス間隔などとも互換的に呼ばれる。
【００７６】
固定ＴＸ−ＲＸ周波数分離を有するＲＡＴ２の一態様によれば、ＲＡＴ２動作のＵＬおよび／またはＤＬにおける中心周波数は、固定ＴＸ−ＲＸ周波数分離が維持されることを確実にするように調整される。
【００７７】
一例では、ＲＡＴ１の上側ガードバンドにおけるＲＡＴ２動作に関するアップリンクおよびダウンリンク中心周波数（ｆｃ２＿ｕ＿ｕｌおよびｆｃ２＿ｕ＿ｄｌ）は、固定ＴＸ−ＲＸ分離を達成するようにｆｃ２＿ｕ＿ｕｌ’およびｆｃ２＿ｕ＿ｄｌ’に調整され、以下の式を使用することによって決定され、
ｆｃ２＿ｕ＿ｕｌ’＜ｆ１＿ｕ＿ｕｌ＋Δｆ１’  （１６）
ｆｃ２＿ｕ＿ｄｌ’＜ｆ１＿ｕ＿ｄｌ＋Δｆ２’  （１７）
ここで、ｆｃ２＿ｕ＿ｕｌ’とｆｃ２＿ｕ＿ｄｌ’との間の差は、ＵＬおよびＤＬ中心周波数のすべてのセットについて常に固定される（すなわち、同じ値）。
【００７８】
別の例では、ＲＡＴ１の下側ガードバンドにおけるＲＡＴ２動作に関するアップリンクおよびダウンリンク中心周波数（ｆｃ２＿ｌ＿ｕｌおよびｆｃ２＿ｌ＿ｄｌ）は、固定ＴＸ−ＲＸ分離を達成するようにｆｃ２＿ｌ＿ｕｌ’およびｆｃ２＿ｌ＿ｄｌ’に調整され、以下の式を使用することによって決定される。
ｆｃ２＿ｌ＿ｕｌ’＜ｆ１＿ｌ＿ｕｌ＋Δｆ１’  （１８）
ｆｃ２＿ｌ＿ｄｌ’＜ｆ１＿ｌ＿ｄｌ＋Δｆ２’  （１９）
【００７９】
さらに別の例では、ＲＡＴ１の上側ガードバンドにおけるＲＡＴ２動作に関するアップリンクおよびダウンリンク中心周波数（ｆｃ２＿ｕ＿ｕｌおよびｆｃ２＿ｕ＿ｄｌ）の１つのみが、固定ＴＸ−ＲＸ分離を達成するように調整され（たとえば、ｆｃ２＿ｕ＿ｕｌ’）、以下の式を使用することによって決定される。
ｆｃ２＿ｕ＿ｕｌ’＜ｆ１＿ｕ＿ｕｌ＋Δｆ１’  （２０）
ｆｃ２＿ｕ＿ｄｌ＜ｆ１＿ｕ＿ｄｌ＋Δｆ２  （２１）
【００８０】
さらに別の例では、ＲＡＴ１の下側ガードバンドにおけるＲＡＴ２動作に関するアップリンクおよびダウンリンク中心周波数（ｆｃ２＿ｌ＿ｕｌおよびｆｃ２＿ｌ＿ｄｌ）の１つのみが、固定ＴＸ−ＲＸ分離を達成するように調整され（たとえば、ｆｃ２＿ｌ＿ｕｌ’）、以下の式を使用することによって決定される。
ｆｃ２＿ｌ＿ｕｌ’＜ｆ１＿ｌ＿ｕｌ＋Δｆ１’  （２２）
ｆｃ２＿ｌ＿ｄｌ＜ｆ１＿ｌ＿ｄｌ＋Δｆ２  （２３）
【００８１】
さらに他の実施形態は、ＲＡＴ１のチャネル帯域幅内で動作するとき、ＲＡＴ２の動作に対する追加の発射要件を決定することに関する。これらの実施形態によれば、追加の発射要件は、ＲＡＴ２がＲＡＴ１のガードバンド内にあり、ＲＡＴ１のチャネルエッジから特定の距離内にあるときに強制される。ＲＡＴ１のスペクトルマスクに違反するＲＡＴ２の発射を回避するために、ＲＡＴ１のガードにおいて動作するとき、追加の発射要件をＲＡＴ２に適用することができる。
【００８２】
例示的な実施形態では、追加の発射要件は、ＲＡＴ２の動作または帯域幅の周波数に依存する。この場合の追加の発射マスクは、ＲＡＴ１のチャネルエッジにより近い特定の周波数に対してはより厳密になるが、ＲＡＴ２がＲＡＴ１チャネルのエッジに対してより大きいマージンを有するときには、より緩和されるか、または存在しない。この場合、１つまたは複数の閾値周波数を定義することができ、各閾値に対応して、適用される特定の発射マスクが存在する。
【００８３】
一例として、図１２は、中心周波数ｆｃ２においてＲＡＴ１のガードバンド内で動作しているＲＡＴ２と、ｆｃ３において動作するＲＡＴ３とを示す。この場合、ＲＡＴ２およびＲＡＴ３に関する対応するスペクトル発射マスク（ＳＥＭ）の他に、この方法によれば、それらの動作周波数に依存する追加のスペクトル発射マスクがＲＡＴ２およびＲＡＴ３に適用され、
ＳＥＭ２＝ｇ１８（ｆｃ２）
ＳＥＭ３＝ｇ１９（ｆｃ３）
ここで、ｇ１８（）およびｇ１９（）は、異なるスペクトル発射マスクであり、ＳＥＭ３は、ＳＥＭ２よりも厳密である。
【００８４】
上記に鑑みて、ＮＢ−ＩｏＴネットワークノードまたはＵＥは、３ＧＰＰによって指定されるような規制上の発射要件ならびに規格の発射要件を満たすべきである。しかしながら、式（１）および（２）に従ってＵＬおよびＤＬキャリア周波数を決定するシグナリングは、ＮＢ−ＩｏＴに関する中心キャリア周波数のみを指定し、発射要件が満たされることを保証しない。ＮＢ−ＩｏＴ  ＵＥとＮＢ−ＩｏＴ  ＢＳの両方に関する発射要件が存在するが、ＬＴＥのガードバンドにおいて動作する場合、それらは、ＮＢ−ＩｏＴ発射要件を満たすべきであるだけでなく、ホスティングＬＴＥシステムの発射要件も満たすべきである。
【００８５】
本明細書の１つまたは複数の実施形態は、ＲＡＴ２を動作させるノードがＲＡＴ１システムの一般要件を満たすように、ＲＡＴ１（たとえば、ＬＴＥ）のガードバンド内で動作する、ＲＡＴ２（たとえば、ＮＢ−ＩｏＴ）に関する要件を決定する方法を含む。方法はＵＥおよびネットワークノードにて実施される。
【００８６】
ＲＡＴ１のガードバンド内でＲＡＴ２を動作させるネットワークノードにおける方法であって、（ｉ）ＲＡＴ１のガードバンド内でＲＡＴ２を動作させるためのアップリンクキャリア周波数（ｆｃ２＿ｕｌ）を決定するステップであって、ｆｃ２＿ｕｌが、少なくとも、ＲＡＴ１の送信帯域幅（ＢＷ１）のエッジを規定する周波数（ｆ１＿ｕｌ）および周波数オフセットパラメータ（Δｆ１）ｗｒｔ  ｆ１＿ｕｌの関数であり、関数が、ｆｃ２＿ｕｌにおけるＲＡＴ２動作がＲＡＴ１の無線発射要件に従うことを確実にするように選択される、ステップと、（ｉｉ）ｆｃ２＿ｕｌの決定された値に関連する情報を用いてＵＥを設定するステップとを備える。
【００８７】
ＲＡＴ１のガードバンド内でＲＡＴ２を動作させるネットワークノードにおける方法であって、（ｉ）ＲＡＴ１のガードバンド内でＲＡＴ２を動作させるためのダウンリンクキャリア周波数（ｆｃ２＿ｄｌ）を決定するステップであって、ｆｃ２＿ｄｌが、少なくとも、ＲＡＴ１の送信帯域幅（ＢＷ１）のエッジを規定する周波数（ｆ１＿ｕｌ）および周波数オフセットパラメータ（Δｆ２）ｗｒｔ  ｆ１＿ｄｌの関数であり、関数が、ｆｃ２＿ｄｌにおけるＲＡＴ２動作がＲＡＴ１の無線発射要件に従うことを確実にするように選択される、ステップと、（ｉｉ）ｆｃ２＿ｄｌの決定された値に関連する情報を用いてネットワークノードを設定するステップとを備える。
【００８８】
さらに、ＲＡＴ１のガードバンド内でＲＡＴ２を動作させるためのＵＥにおける方法は、（ｉ）ＲＡＴ１のガードバンド内でＲＡＴ２を動作させるためのアップリンクキャリア周波数（ｆｃ２＿ｕｌ）に関する情報を受信するステップと、（ｉｉ）受信された情報に基づいてｆｃ２＿ｕｌを導出するステップと、（ｉｉｉ）ｆｃ２＿ｕｌの導出された値が、少なくとも、ＲＡＴ１の送信帯域幅（ＢＷ１）のエッジを規定する周波数（ｆ１＿ｕｌ）および周波数オフセットパラメータ（Δｆ１）ｗｒｔ  ｆ１＿ｕｌの関数であるかどうかを決定するステップであって、関数が、ｆｃ２＿ｕｌにおけるＲＡＴ２動作がＲＡＴ１の無線発射要件に従うことを確実にするように選択される、ステップと、（ｉｖ）ｆｃ２＿ｕｌにおけるＲＡＴ２動作が、ＵＥがＲＡＴ１の発射要件を満たすことを可能にする限り、ｆｃ２＿ｕｌの受信された値を用いてＵＥを設定し、そうでなければ、ｆｃ２＿ｕｌの受信された値を用いてＵＥを設定しないステップとを備えてもよい。
【００８９】
本明細書の１つまたは複数の実施形態は、ＲＡＴ１の帯域幅内で動作するＲＡＴ２  ＢＳおよびＵＥがＲＡＴ１の発射要件に違反しないことを保証してもよい。いくつかの実施形態では、ＲＡＴ２の性能は、ＲＡＴ１のガードバンド内で動作するとき、強化される。１つまたは複数の実施形態では、ＲＡＴ１のキャリア周波数に隣接するキャリア周波数において動作するシステムへの干渉が低減または回避される。加えてまたは代替的に、無線発射に関する規制上の要件は、別のＲＡＴのガードバンドにおいて動作するときにＵＥおよびＢＳによって満たされる。
【００９０】
本明細書の実施形態はまた、一般的に、第１の無線アクセス技術（ＲＡＴ）に関するガードバンド内で、第２のＲＡＴに従って無線信号を送信するように無線ノードを設定するための、図１３に示す方法を含む。図示のように、方法は、第１のＲＡＴのチャネル帯域幅のエッジからの特定の周波数オフセットにおける無線信号の送信を管理する発射制限に従うように、第２のＲＡＴに従う無線信号の送信に関する１つまたは複数の送信パラメータを決定することを含む（ブロック１３０２）。方法は、第１のＲＡＴのガードバンド内で無線信号を送信するための１つまたは複数の送信パラメータを用いて無線ノードを設定することをさらに含む（ブロック１３０４）。
【００９１】
本明細書の実施形態は、第１の無線アクセス技術（ＲＡＴ）に関するガードバンド内で、第２のＲＡＴに従って無線信号を送信するように無線ノードを設定するための、図１４に示す方法をさらに含む。方法は、第１のＲＡＴの送信帯域幅のエッジから規定された周波数オフセット内であるように、無線信号が第２のＲＡＴに従って送信されるべきキャリア周波数を決定することを含む（ブロック１４０２）。方法は、第１のＲＡＴのガードバンド内で無線信号を送信するためのキャリア周波数を用いて無線ノードを設定することも含む（ブロック１４０４）。
【００９２】
設定ノードが上記の処理のいずれかを実行してもよいことに留意されたい。設定ノードは、無線ノード自体、無線信号が送信されるべき無線ノード、またはなにか他のノードであってもよい。それにもかかわらず、本明細書で説明される設定ノードは、任意の機能的手段またはユニットを実装することによって、本明細書の処理のいずれかを実行してもよい。一実施形態では、たとえば、設定ノードは、図８、図１３、および／または図１４に示すステップを実行するように設定されたそれぞれの回路または回路網を備える。回路または回路網は、この点に関して、特定の機能的処理を実行する専用の回路、および／またはメモリと協働する１つもしくは複数のマイクロプロセッサを備えてもよい。読出し専用メモリ（ＲＯＭ）、ランダムアクセスメモリ、キャッシュメモリ、フラッシュメモリデバイス、光記憶デバイスなどのような１つまたはいくつかのタイプのメモリを含んでもよいメモリを用いる実施形態では、メモリは、１つまたは複数のプロセッサによって実行されたときに、本明細書に記載の技法を実行するプログラムコードを記憶する。
【００９３】
図１５は、１つまたは複数の実施形態による設定ノード１５０２を示す。図示のように、設定ノード１５０２は、処理回路網１５０４と通信回路網１５０６とを含む。通信回路網１５０６は、たとえば、任意の通信技術を介して、１つもしくは複数の他のノードにおよび／またはから情報を送信および／または受信するように設定される。いくつかの実施形態では、設定ノード１５０２は、無線ノードであり、その場合、そのような通信は、設定ノード１５０２の内部または外部のいずれかにある１つまたは複数のアンテナを介して生じてもよい。処理回路網１５０４は、メモリ内に記憶された命令を実行することなどによって、たとえば、図８、図１３、および／または図１４における上記で説明した処理を実行するように設定される。処理回路網１５０２は、この点に関して、特定の機能的手段、ユニット、またはモジュールを実装してもよい。
【００９４】
図１６は、１つまたは複数の他の実施形態に従って実装された設定ノード１６０２を示す。図示のように、設定ノード１６０２は、たとえば、図１５の処理回路網１５０４を介して、またはソフトウェアコードを介して、様々な機能的手段、ユニット、またはモジュールを実装する。たとえば、図８、図１３、および／または図１４の方法を実装するためのこれらの機能的手段、ユニット、またはモジュールは、図８、図１３、および／または図１４における決定ステップおよび設定ステップをそれぞれ実装するための決定モジュール１６０４および設定モジュール１６０６を含む。たとえば、設定ノード１６０２が無線ノード自体である場合のようないくつかの実施形態では、無線信号を送信するための送信モジュール１６０８が含まれてもよい。
【００９５】
当業者はまた、本明細書の実施形態が対応するコンピュータプログラムをさらに含むことを理解するであろう。
【００９６】
コンピュータプログラムは、ノードの少なくとも１つのプロセッサにおいて実行されたとき、上記で説明したそれぞれの処理のいずれかをノードに実行させる命令を含む。コンピュータプログラムは、この点に関して、上記で説明した手段またはユニットに対応する１つまたは複数のコードモジュールを含んでもよい。
【００９７】
実施形態は、そのようなコンピュータプログラムを含むキャリアをさらに含む。このキャリアは、電子信号、光信号、無線信号、またはコンピュータ可読記憶媒体のうちの１つを含んでもよい。
【００９８】
この点に関して、本明細書の実施形態は、非一時的コンピュータ可読（記憶または記録）媒体上に記憶され、ノードのプロセッサによって実行されたとき、上記で説明したようにノードに実行させる命令を含むコンピュータプログラム製品も含む。
【００９９】
実施形態は、コンピュータプログラム製品がコンピューティングデバイスによって実行されたとき、本明細書の実施形態のうちのいずれかのステップを実行するためのプログラムコード部分を含むコンピュータプログラム製品をさらに含む。このコンピュータプログラム製品は、コンピュータ可読記録媒体上に記憶されてもよい。
【０１００】
上記を考慮して、実施形態は、一般に、第１の無線アクセス技術（ＲＡＴ）に関するガードバンド内で、第２のＲＡＴに従って無線信号を送信するように無線ノードを設定するための方法を含む。方法は、第１のＲＡＴと第２のＲＡＴの両方に関する発射制限に従うように、第２のＲＡＴに従う無線信号の送信のための１つまたは複数の送信パラメータを決定することと、第１のＲＡＴのガードバンド内で無線信号を送信するための１つまたは複数の送信パラメータを用いて無線ノードを設定することとを含む。
【０１０１】
いくつかの実施形態では、１つまたは複数の送信パラメータは、第１のＲＡＴに関するガードバンド内の無線信号の周波数位置を含む。
【０１０２】
代替的にまたは加えて、１つまたは複数の送信パラメータは、無線信号が送信されるべきキャリア周波数を含む。
【０１０３】
いくつかの実施形態では、前記決定することは、第１のＲＡＴの送信帯域幅のエッジを規定するエッジ周波数と、エッジ周波数に対する規定された周波数オフセットとに基づいて、無線信号が第２のＲＡＴに従って送信されるべきキャリア周波数を決定することを含む。
【０１０４】
いくつかの実施形態では、前記決定することは、第１のＲＡＴの送信帯域幅のエッジからの規定された周波数オフセット内であるように、無線信号が第２のＲＡＴに従って送信されるべきキャリア周波数を決定することを含む。
【０１０５】
いくつかの実施形態では、方法は、第１のＲＡＴのチャネル帯域幅に基づいて、規定された周波数オフセットを決定することをさらに含み、規定されたオフセットは、第１のＲＡＴの異なる可能な帯域幅に対して規定される。
【０１０６】
いくつかの実施形態では、規定された周波数オフセットは、第１のＲＡＴに関する発射要件に基づいて指定される。
【０１０７】
いくつかの実施形態では、１つまたは複数の送信パラメータは、絶対無線周波数チャネル番号および／またはチャネルラスタに対するオフセットを含む。
【０１０８】
いくつかの実施形態では、１つまたは複数の送信パラメータは、無線信号の信号レベルを含む。
【０１０９】
いくつかの実施形態では、前記決定することは、第１のＲＡＴの送信帯域幅および／または第１のＲＡＴのチャネル帯域幅に基づいて、１つまたは複数の送信パラメータを決定することを含む。
【０１１０】
いくつかの実施形態では、前記決定することは、第２のＲＡＴに従う無線信号の送信を管理するスペクトル発射マスク、および／または無線信号の信号レベルが、第１のＲＡＴを管理するスペクトル発射マスク内であるように、１つまたは複数の送信パラメータを決定することを含む。
【０１１１】
いくつかの実施形態では、第２のＲＡＴに関する発射制限は、第１のＲＡＴに関する発射制限に従うことを確実にするように指定され、前記決定することは、第２のＲＡＴに関する発射制限に従うように、第２のＲＡＴに従う無線信号の送信に関する１つまたは複数の送信パラメータを決定することを含む。
【０１１２】
いくつかの実施形態では、第２のＲＡＴに関する発射制限は、無線信号が第１のＲＡＴに関するガードバンドにおいて送信されるかどうかにかかわらず、第２のＲＡＴに従って無線信号を送信するのに適用可能な公称発射制限、および、第１のＲＡＴに関するガードバンドにおいて第２のＲＡＴに従って無線信号を送信するための公称発射制限に加えて適用可能な追加の発射制限として指定される。
【０１１３】
いくつかの実施形態では、追加の発射制限は、無線信号の周波数または帯域幅に依存する。
【０１１４】
いくつかの実施形態では、追加の発射制限は、第１のＲＡＴに関するチャネル帯域幅のエッジからの無線信号の周波数オフセットに依存し、より大きい周波数オフセットよりもより小さい周波数オフセットにより厳密な発射制限が指定される。
【０１１５】
本明細書の他の実施形態は、第１の無線アクセス技術（ＲＡＴ）のガードバンド内で、第２のＲＡＴに従って無線信号を送信するように無線ノードを設定するための方法を含む。方法は、第１のＲＡＴのチャネル帯域幅のエッジからの特定の周波数オフセットにおける無線信号の送信を管理する発射制限に従うように、第２のＲＡＴに従う無線信号の送信のための１つまたは複数の送信パラメータを決定することと、第１のＲＡＴのガードバンド内で無線信号を送信するための１つまたは複数の送信パラメータを用いて無線ノードを設定することとを含む。
【０１１６】
いくつかの実施形態では、発射制限は、第１のＲＡＴのチャネル帯域幅のエッジからの異なる可能な周波数オフセットにおける送信を管理する複数の異なる発射制限のうちの１つである。
【０１１７】
いくつかの実施形態では、１つまたは複数の送信パラメータは、無線信号の信号レベルを含む。
【０１１８】
いくつかの実施形態では、前記決定することは、第２のＲＡＴに従う無線信号の送信を管理するスペクトル発射マスクおよび／または無線信号の信号レベルが、第１のＲＡＴを管理するスペクトル発射マスク内であるように、１つまたは複数の送信パラメータを決定することを含む。
【０１１９】
いくつかの実施形態では、第２のＲＡＴに関する発射制限は、第１のＲＡＴに関する発射制限に従うことを確実にするように指定され、前記決定することは、第２のＲＡＴに関する発射制限に従うように、第２のＲＡＴに従う無線信号の送信に関する１つまたは複数の送信パラメータを決定することを含む。
【０１２０】
いくつかの実施形態では、第２のＲＡＴに関する発射制限は、無線信号が第１のＲＡＴに関するガードバンドにおいて送信されるかどうかにかかわらず第２のＲＡＴに従って無線信号を送信するのに適用可能な公称発射制限、および、第１のＲＡＴに関するガードバンドにおいて第２のＲＡＴに従って無線信号を送信するための公称発射制限に加えて適用可能な追加の発射制限として指定される。
【０１２１】
いくつかの実施形態では、追加の発射制限は、無線信号の周波数または帯域幅に依存する。
【０１２２】
いくつかの実施形態では、追加の発射制限は、第１のＲＡＴのチャネル帯域幅のエッジからの無線信号の周波数オフセットに依存し、より大きい周波数オフセットよりもより小さい周波数オフセットにより厳密な発射制限が指定される。
【０１２３】
実施形態は、第１の無線アクセス技術（ＲＡＴ）に従う送信に関するガードバンド内で、第２のＲＡＴに従って無線信号を送信するように無線ノードを設定するための方法も含む。方法は、第１のＲＡＴの送信帯域幅のエッジからの規定された周波数オフセット内であるように、無線信号が第２のＲＡＴに従って送信されるべきキャリア周波数を決定することと、第１のＲＡＴのガードバンド内で無線信号を送信するためのキャリア周波数を用いて無線ノードを設定することとを含む。
【０１２４】
いくつかの実施形態では、方法は、第１のＲＡＴのチャネル帯域幅に基づいて、規定された周波数オフセットを決定することをさらに含み、規定された周波数オフセットは、第１のＲＡＴの異なる可能なチャネル帯域幅に対して規定される。
【０１２５】
いくつかの実施形態では、規定された周波数オフセットは、第１のＲＡＴに関する発射要件に基づいて指定される。
【０１２６】
いくつかの実施形態では、方法は、無線ノードによって実施され、１つまたは複数の送信パラメータを用いて設定されるように無線信号を送信することをさらに含む。
【０１２７】
いくつかの実施形態では、方法は、基地局によって実施され、無線信号は、基地局にまたは基地局から送信されるべきである。
【０１２８】
いくつかの実施形態では、無線ノードは、ユーザ機器である。
【０１２９】
実施形態は、第１の無線アクセス技術（ＲＡＴ）に関するガードバンド内で、第２のＲＡＴに従って無線信号を送信するように無線ノードを設定するための設定ノードも含む。設定ノードは、第１のＲＡＴと第２のＲＡＴの両方に関する発射制限に従うように、第２のＲＡＴに従う無線信号の送信のための１つまたは複数の送信パラメータを決定し、第１のＲＡＴのガードバンド内で無線信号を送信するための１つまたは複数の送信パラメータを用いて無線ノードを設定するように設定される。
【０１３０】
いくつかの実施形態では、設定ノードは、上記の実施形態のいずれかの方法を実行するように設定される。
【０１３１】
実施形態は、第１の無線アクセス技術（ＲＡＴ）のガードバンド内で、第２のＲＡＴに従って無線信号を送信するように無線ノードを設定するための設定ノードをさらに含む。設定ノードは、第１のＲＡＴのチャネル帯域幅のエッジからの特定の周波数オフセットにおける無線信号の送信を管理する発射制限に従うように、第２のＲＡＴに従う無線信号の送信のための１つまたは複数の送信パラメータを決定し、第１のＲＡＴのガードバンド内で無線信号を送信するための１つまたは複数の送信パラメータを用いて無線ノードを設定するように設定される。
【０１３２】
いくつかの実施形態では、設定ノードは、上記の実施形態のいずれかの方法を実行するように設定される。
【０１３３】
実施形態は、第１の無線アクセス技術（ＲＡＴ）に従う送信のためのガードバンド内で、第２のＲＡＴに従って無線信号を送信するように無線ノードを設定するための設定ノードをさらに含む。設定ノードは、第１のＲＡＴの送信帯域幅のエッジからの規定された周波数オフセット内であるように、第２のＲＡＴに従って無線信号が送信されるべきキャリア周波数を決定し、第１のＲＡＴのガードバンド内で無線信号を送信するためのキャリア周波数を用いて無線ノードを設定するように設定される。
【０１３４】
いくつかの実施形態では、設定ノードは、上記の実施形態のいずれかの方法を実行するように設定される。
【０１３５】
実施形態は、第１の無線アクセス技術（ＲＡＴ）に関するガードバンド内で、第２のＲＡＴに従って無線信号を送信するように無線ノードを設定するための設定ノードをさらに含む。設定ノードは、第１のＲＡＴと第２のＲＡＴの両方に関する発射制限に従うように、第２のＲＡＴに従う無線信号の送信のための１つまたは複数の送信パラメータを決定するための決定モジュールと、第１のＲＡＴのガードバンド内で無線信号を送信するための１つまたは複数の送信パラメータを用いて無線ノードを設定するための設定モジュールとを備える。
【０１３６】
いくつかの実施形態では、設定ノードは、上記の実施形態のいずれかの方法を実行するように設定される。
【０１３７】
実施形態は、第１の無線アクセス技術（ＲＡＴ）のガードバンド内で、第２のＲＡＴに従って無線信号を送信するように無線ノードを設定するための設定ノードをさらに含む。設定ノードは、第１のＲＡＴのチャネル帯域幅のエッジからの特定の周波数オフセットにおける無線信号の送信を管理する発射制限に従うように、第２のＲＡＴに従う無線信号の送信のための１つまたは複数の送信パラメータを決定するための決定モジュールと、第１のＲＡＴのガードバンド内で無線信号を送信するための１つまたは複数の送信パラメータを用いて無線ノードを設定するための設定モジュールとを備える。
【０１３８】
いくつかの実施形態では、設定ノードは、上記の実施形態のいずれかの方法を実行するように設定される。
【０１３９】
実施形態は、第１の無線アクセス技術（ＲＡＴ）に従う送信のためのガードバンド内で、第２のＲＡＴに従って無線信号を送信するように無線ノードを設定するための設定ノードをさらに含む。設定ノードは、第１のＲＡＴの送信帯域幅のエッジからの規定された周波数オフセット内であるように、無線信号が第２のＲＡＴに従って送信されるべきキャリア周波数を決定するための決定モジュールと、第１のＲＡＴのガードバンド内で無線信号を送信するためのキャリア周波数を用いて無線ノードを設定するための設定モジュールとを備える。
【０１４０】
いくつかの実施形態では、設定ノードは、上記の実施形態のいずれかの方法を実行するように設定される。
【０１４１】
実施形態は、第１の無線アクセス技術（ＲＡＴ）に関するガードバンド内で、第２のＲＡＴに従って無線信号を送信するように無線ノードを設定するための設定ノードをさらに含む。設定ノードは、プロセッサとメモリとを備え、メモリは、プロセッサによって実行可能な命令であって、それによって、設定ノードが、第１のＲＡＴと第２のＲＡＴの両方に関する発射制限に従うように、第２のＲＡＴに従う無線信号の送信のための１つまたは複数の送信パラメータを決定し、第１のＲＡＴの帯域幅内で無線信号を送信するための１つまたは複数の送信パラメータを用いて無線ノードを設定するように設定される、命令を含む。
【０１４２】
メモリは、プロセッサによって実行可能な命令であって、それによって設定ノードが上記の実施形態のいずれかの方法を実行するように設定される命令を含んでもよい。
【０１４３】
実施形態は、第１の無線アクセス技術（ＲＡＴ）のガードバンド内で、第２のＲＡＴに従って無線信号を送信するように無線ノードを設定するための設定ノードをさらに含む。設定ノードは、プロセッサとメモリとを備え、メモリは、プロセッサによって実行可能な命令であって、それによって、設定ノードが、第１のＲＡＴのチャネル帯域幅のエッジからの特定の周波数オフセットにおける無線信号の送信を管理する発射制限に従うように、第２のＲＡＴに従う無線信号の送信のための１つまたは複数の送信パラメータを決定し、第１のＲＡＴのガードバンド内で無線信号を送信するための１つまたは複数のパラメータを用いて無線ノードを設定するように設定される、命令を含む。
【０１４４】
メモリは、プロセッサによって実行可能な命令であって、それによって設定ノードが上記の実施形態のいずれかの方法を実行するように設定される命令を含んでもよい。
【０１４５】
実施形態は、第１の無線アクセス技術（ＲＡＴ）に従う送信に関するガードバンド内で、第２のＲＡＴに従って無線信号を送信するように無線ノードを設定するための設定ノードも含む。設定ノードは、プロセッサとメモリとを備え、メモリは、プロセッサによって実行可能な命令であって、それによって、設定ノードが、第１のＲＡＴの送信帯域幅のエッジからの規定された周波数オフセット内であるように、無線信号が第２のＲＡＴに従って送信されるべきキャリア周波数を決定し、第１のＲＡＴのガードバンド内で無線信号を送信するためのキャリア周波数を用いて無線ノードを設定するように設定される、命令を含む。
【０１４６】
メモリは、プロセッサによって実行可能な命令であって、それによって設定ノードが上記の実施形態のいずれかの方法を実行するように設定される命令を含んでもよい。
【０１４７】
実施形態は、設定ノードの少なくとも１つのプロセッサにおいて実行されたとき、少なくとも１つのプロセッサに上記の実施形態のいずれかによる方法を実行させる命令を含むコンピュータプログラムも含む。
【０１４８】
実施形態は、コンピュータプログラムを含むキャリアをさらに含む。キャリアは、電子信号、光信号、無線信号、またはコンピュータ可読記憶媒体のうちの１つである。
【０１４９】
本明細書の実施形態は、Ｅ−ＵＴＲＡのガードバンドにおいて動作するとき、ＮＢ−ＩｏＴノードがＥ−ＵＴＲＡの発射要件を満たすことを確実にするように、ＮＢ−ＩｏＴノードの送信パラメータを適合させる方法も含む。方法は、ネットワークノードとＵＥノードの両方に適用される。ＮＢ−ＩｏＴノードがＥ−ＵＴＲＡの発射要件を満たすことを可能にするために、信号を送信するためにＮＢ−ＩｏＴによって使用される１つまたは複数の送信パラメータに対して適合を行うことができる。送信パラメータの例は、ＮＢ−ＩｏＴ信号の電力、ＮＢ−ＩｏＴ信号の最大電力、ＮＢ−ＩｏＴサブキャリアの周波数割振り、トランスポートフォーマット（たとえば、キャリアにおいて使用されるＭＣＳ、データチャネル内のデータまたはトランスポートブロックの数、データまたはトランスポートブロックのサイズなど）である。
【０１５０】
第１の実施形態では、ノードにおける方法は、（１）ＲＡＴ２がＲＡＴ１のガードバンド（ＧＢ）において動作するかどうかを決定するステップであって、ＧＢが、チャネルＢＷとＲＡＴ１の送信ＢＷとの間の周波数の範囲である、ステップと、（ｉｉ）ＲＡＴ２がＲＡＴ１のガードバンドにおいて動作する場合、ＲＡＴ２が、ＲＡＴ２がＲＡＴ１の発射要件を満たすか、または少なくともＲＡＴ２の発射がＲＡＴ１の発射の制限を超えないことを確実にするように、ＲＡＴ２における信号の送信に関連する１つまたは複数のパラメータを適合させるか、または制限するステップと、（ｉｉｉ）送信パラメータの適合または制限されたセットに基づいて、ＲＡＴ２において信号を送信するステップとを含む。
【０１５１】
第２の実施形態では、ノードにおける方法は、（ｉ）ＲＡＴ２がＲＡＴ２において動作するかどうかを決定するステップであって、ＧＢが、チャネルＢＷとＲＡＴ１の送信ＢＷとの間の周波数の範囲である、ステップと、（ｉｉ）ＲＡＴ１の送信帯域幅のエッジからのＲＡＴ２の中心周波数（ｆｃ２）のオフセット（Δｆ）を決定するステップと、（ｉｉｉ）ＲＡＴ２がＲＡＴ１のガードバンドにおいて動作し、Δｆの大きさが閾値（Ｈ）未満である場合、ＲＡＴ２における信号の送信に関連する１つまたは複数のパラメータを適合させるまたは制限するステップと、（ｉｖ）ＲＡＴ２がＲＡＴ１のガードバンドにおいて動作し、Δｆの大きさがＨよりも大きい場合、ＲＡＴ２における信号の送信に関連する１つまたは複数のパラメータを適合させないまたは制限しないステップと、（ｖ）送信パラメータの適合されたまたは適合されていないセットに基づいて、ＲＡＴ２において信号を送信するステップとを含む。
【０１５２】
第３の実施形態は、ノードにおける方法は、（ｉ）ＲＡＴ２がＲＡＴ２において動作するかどうかを決定するステップであって、ＧＢが、チャネルＢＷとＲＡＴ１の送信ＢＷとの間の周波数の範囲である、ステップと、（ｉｉ）ＲＡＴ１の送信帯域幅のエッジからのＲＡＴ２の中心周波数（ｆｃ２）のオフセット（Δｆ）を決定するステップと、（ｉｉｉ）ＲＡＴ２がＲＡＴ１のガードバンドにおいて動作し、Δｆの大きさが閾値（Ｈ）未満である場合、ＲＡＴ２がＲＡＴ１の発射要件を満たすか、または少なくともＲＡＴ２の発射がＲＡＴ１の発射の制限を超えないことを確実にするように、ＲＡＴ２における信号の送信に関連する１つまたは複数のパラメータをパラメータの第１のセットに適合させるまたは制限するステップと、（ｉｖ）ＲＡＴ２がＲＡＴ１のガードバンドにおいて動作し、Δｆの大きさがＨよりも大きい場合、ＲＡＴ２がＲＡＴ１の発射要件を満たすか、少なくともＲＡＴ２の発射がＲＡＴ１の発射の制限を超えないことを確実にするように、ＲＡＴ２における信号の送信に関連する１つまたは複数のパラメータをパラメータの第２のセットに適合させるまたは制限するステップであって、第１の適合されたセットが、第２の適合されたセットにおける対応するパラメータよりも制限された少なくとももう１つのパラメータからなる、ステップと、（ｖｉ）適合されたまたは制限された送信パラメータの第１または第２のセットに基づいて、ＲＡＴ２において信号を送信するステップとを含む。
【０１５３】
上記で概説した方法は、ＲＡＴ１の帯域幅内で動作するＲＡＴ２  ＢＳおよびＵＥがＲＡＴ１の発射要件に違反しないことを規定する。ＲＡＴ２の性能は、ＲＡＴ１のガードバンド内で動作するとき、強化される。いくつかの実施形態では、ＲＡＴ１のキャリア周波数に隣接するキャリア周波数において動作するシステムへの干渉が低減または回避される。いくつかの実施形態では、無線発射に関する規制上の要件は、別のＲＡＴのガードバンドにおいて動作するときにＵＥおよびＢＳによって満たされる。より具体的には、ノードがＲＡＴ１のチャネル帯域幅のガードバンド内においてＲＡＴ２を動作させるときに、ＲＡＴ２の無線発射要件が、ＲＡＴ１の無線発射要件の制限内にとどまることを確実にするために、ノードは、特定のステップを実行するか、手順を実行する。
【０１５４】
無線発射要件の一例は、スペクトル発射マスクである。そのような場合、１つまたは複数の送信パラメータの値は、ＲＡＴ１のガードバンドにおいて中心周波数ｆｃ２を有するＲＡＴ２において動作するノード（たとえば、ＵＥまたはＢＳ）の発射マスクが、ＲＡＴ１において動作するノード（たとえば、ＵＥまたはＢＳ）の発射マスクの制限を超えないように選択または適合される。発射マスクは、ノードの送信ＢＷ外の異なる周波数における電力レベルとして定義される。ＲＡＴ２の発射マスクは、任意の所与の周波数（ｆｇ）におけるＲＡＴ２発射マスクの電力レベルが同じ周波数におけるＲＡＴ１発射マスクの電力レベルよりも大きくない限り、ＲＡＴ１の発射マスクの制限内にあるとみなされる。
【０１５５】
送信パラメータの例は、送信電力、平均送信電力、最大送信電力、トランスポートチャネルのトランスポートフォーマットまたはデータフォーマット、物理的リソース（たとえば、リソースブロック（ＲＢ）、サブキャリア、リソースエレメントなど）の数などである。トランスポートチャネルを記述するパラメータは、トランスポートチャネルあたりのトランスポートブロックの数、トランスポートブロックあたりのトランスポートブロックサイズ、変調符号化方式などである。ＵＬトランスポートチャネル特性における低減または適合はまた、ＲＡＴ２の信号を送信するためにノードによって使用されるキャリアにおけるＵＬ  ＲＢおよびＵＬ送信電力を低減する。これは、次に、ＲＡＴ２によって引き起こされる発射を低減し、低減された送信パラメータのセットに基づいて、ＲＡＴ２発射要件は、ＲＡＴ１発射要件内にとどまる。例示的な実装形態では、ノードは、ＲＡＴ２が、ＲＡＴ１のガードバンド内のどこにある場合でも動作するように、すなわち、ＲＡＴ２中心周波数（ｆｃ２）がＲＡＴ１のＧＢ内のどこにある場合でもＲＡＴ送信パラメータに適合するように設定される限り、ＲＡＴ２の１つまたは複数の送信パラメータを適合させるか、または制限してもよい。この規則は、予め定義することができ、または、別のノードによって設定することができ、または、（ＲＡＴ２がＲＡＴ１の発射要件を満たさない場合はいつでも）ノード自体によって自律的に選択することができる。
【０１５６】
さらに別の例示的な実装形態では、ノードは、ＲＡＴ２が、ＲＡＴ１のガードバンド内の周波数の特定の範囲内で動作するように、すなわち、ＲＡＴ２中心周波数（ｆｃ２）がＲＡＴ１のＧＢ内のキャリア周波数の特定の範囲内にある場合にのみＲＡＴ送信パラメータに適合するように設定される限り、ＲＡＴ２の１つまたは複数の送信パラメータを適合させるか、または制限する必要はない。この規則はまた、予め定義することができ、または、別のノードによって設定することができ、または、（ＲＡＴ２がＲＡＴ１の発射要件を満たさない場合はいつでも）ノード自体によって自律的に選択することができる。周波数の特定の範囲の例は、ＲＡＴ１の送信帯域幅のエッジからの少なくとも特定のオフセット（Δｆ）において位置するそれらの周波数（たとえば、ＲＡＴ２が動作することができる中心周波数）である。言い換えれば、ｆｃ２がＲＡＴ１送信ＢＷのエッジから遠い場合、ＲＡＴ２は、任意の送信パラメータの値を制限する必要はない。Δｆの値は、ＲＡＴ１およびＲＡＴ２のチャネル帯域幅に依存する。ＲＡＴ２が２００ｋＨｚの固定チャネルＢＷを有すると仮定すると（すなわち、ＲＡＴ２がＮＢ−ＩｏＴである場合）、その値は、ＲＡＴ１の異なるチャネルＢＷに対して定義される（たとえば、ＬＴＥに関する１．４、３、５、１０、１５、および２０ＭＨｚ）。Δｆの値は、中心周波数ｆｃ２を有するＲＡＴ２において動作するノード（たとえば、ＵＥまたはＢＳ）の発射マスクが、ＲＡＴ１において動作するノード（たとえば、ＵＥまたはＢＳ）の発射マスクの制限を超えないように選択される。
【０１５７】
第１の方法では、ノードは、以下の主なステップ、すなわち、（ｉ）ＲＡＴ２がＲＡＴ２のガードバンドにおいて動作するかどうかを決定するステップと、（ｉｉ）ＲＡＴ２がＲＡＴ１のガードバンドにおいて動作する場合、ＲＡＴ２における信号の送信に関連する１つまたは複数のパラメータを適合させる、または制限するステップと、（ｉｉｉ）送信パラメータの適合または制限されたセットに基づいて、ＲＡＴ２において信号を送信するステップとを実行する。
【０１５８】
第２の方法では、ノードは、以下の主なステップ、すなわち、（ｉ）ＲＡＴ２がＲＡＴ２のガードバンドにおいて動作するかどうかを決定するステップと、（ｉｉ）ＲＡＴ１の送信帯域幅のエッジからのＲＡＴ２の中心周波数（ｆｃ２）のオフセット（Δｆ）を決定するステップと、（ｉｉｉ）ＲＡＴ２がＲＡＴ１のガードバンドにおいて動作し、Δｆの大きさが閾値（Ｈ）未満である場合、ＲＡＴ２における信号の送信に関連する１つまたは複数のパラメータを適合させる、または制限するステップと、（ｉｖ）ＲＡＴ２がＲＡＴ１のガードバンドにおいて動作し、Δｆの大きさがＨよりも大きい場合、ＲＡＴ２における信号の送信に関連する１つまたは複数のパラメータを適合させないまたは制限しないステップとを実行する。
【０１５９】
送信パラメータの適合されたまたは適合されていないセットに基づいて、ＲＡＴ２において信号を送信する。
【０１６０】
第３の方法では、ノードは、以下の主なステップ、すなわち、（ｉ）ＲＡＴ２がＲＡＴ２のガードバンドにおいて動作するかどうかを決定するステップと、（ｉｉ）ＲＡＴ１の送信帯域幅のエッジからのＲＡＴ２の中心周波数（ｆｃ２）のオフセット（Δｆ）を決定するステップと、（ｉｉｉ）ＲＡＴ２がＲＡＴ１のガードバンドにおいて動作し、Δｆの大きさが閾値（Ｈ）未満である場合、ＲＡＴ２における信号の送信に関連する１つまたは複数のパラメータをパラメータの第１のセットに適合させる、または制限するステップと、（ｉｖ）ＲＡＴ２がＲＡＴ１のガードバンドにおいて動作し、Δｆの大きさがＨよりも大きい場合、ＲＡＴ２における信号の送信に関連する１つまたは複数のパラメータをパラメータの第２のセットに適合させるまたは制限するステップであって、第１の適合されたセットが、第２の適合されたセットにおける対応するパラメータよりも制限されたもう１つのパラメータからなる、ステップと、（ｖｉ）適合されたまたは制限された送信パラメータの第１または第２のセットに基づいて、ＲＡＴ２において信号を送信するステップとを実行する。
【０１６１】
適合されたパラメータの第１および第２のセットの例は、それぞれ、１７ｄＢｍおよび２０ｄＢｍの最大送信電力である。適合されたパラメータの第１および第２のセットの別の例は、それぞれ、ＢＰＳＫおよびＱＰＳＫの変調である。適合されたパラメータの第１および第２のセットのさらに別の例は、それぞれ、１／３および１／２の符号レートである。送信パラメータの適合された、または制限された、または低減されたセットは、予め定義されてもよく、ネットワークノードによって設定されてもよく、またはノード自体によって決定されてもよい。
【０１６２】
以下のセクションでは、ＲＡＴ１のガードバンド内でＲＡＴ２において信号を送信するための１つまたは複数の送信パラメータを適合させることの様々な例について、様々な例を用いてさらに詳述する。
【０１６３】
本開示のこの態様によれば、ＲＡＴ２がＲＡＴ１のチャネル帯域幅で動作するとき、ＲＡＴ２の最大送信電力は、ＲＡＴ２の信号レベルがＲＡＴ１のスペクトルマスクの制限内にとどまるように適合させることができる。ＲＡＴ２の送信電力を適合させる例は、ネットワークノードの送信電力におけるバックオフ、または、最大電力低減（ＭＰＲ）もしくは追加の最大電力低減（Ａ−ＭＰＲ）を適用することであり得る。ＭＰＲの値は、ｄＢで表される。たとえば、２ｄＢの低減は、ＵＥの最大送信電力を２３ｄＢｍから２１ｄＢｍに低減することを意味する。Ａ−ＭＰＲは、帯域幅、周波数帯域、またはリソースブロック割振りのような要因を考慮に入れることによって、特定の発射要件を満たすために必要なＵＥ最大出力電力低減を（通常のＭＰＲの上に）規定する。Ａ−ＭＰＲの適用を可能にするために、ネットワークシグナリング（ＮＳ）パラメータ値は、ＵＥ特定チャネル内またはブロードキャストメッセージ内のシステム情報を介してＵＥにシグナリングされる。これは、ＵＥがセルにキャンプオンするときにこの情報を取得することを可能にする。セルに関連する取得されたＮＳ値は、次いで、ＵＥによって、特定のＡ−ＭＰＲにマッピングし、アップリンクにおいて送信するときはいつでも、その最大出力電力を低減するために使用される。１つの例示的な実施形態では、ＲＡＴ２の電力レベルは、ＲＡＴ２とＲＡＴ１のチャネル帯域幅のエッジとの間の周波数オフセットの関数とすることができる。一例として、ＲＡＴ２がＲＡＴ１チャネル帯域幅のエッジに対して大きいオフセットを有する場合、最大許容電力をＲＡＴ２のために使用することができ、すなわち、ゼロ電力低減を使用することができる。ＲＡＴ２がＲＡＴ１のエッジに近い場合、ＲＡＴ１のチャネル帯域幅のエッジに対するオフセットに依存する電力低減を使用することができる。図１７は、一例として、ＲＡＴ１のガードバンド内で動作するＲＡＴ２を示し、ここで、ＲＡＴは、ＲＡＴ１の発射要件を満たすために低減された電力を有する。
【０１６４】
本開示のこの態様によれば、ＲＡＴ２がＲＡＴ１のチャネル帯域幅内で動作するとき、サブキャリアの割振りは、ＲＡＴ１のスペクトルマスクおよび／またはＲＡＴ２とＲＡＴ１のチャネルエッジとの間のオフセットに適合される。適合は、ＲＡＴ２データが、ＲＡＴ１のチャネルエッジからさらに離れているサブキャリア上で送信されるが、ＲＡＴ１のチャネル帯域幅のエッジにより近いＲＡＴ２におけるサブキャリアが空のままであるように行われる。
【０１６５】
本開示のこの態様によれば、ＲＡＴ２がＲＡＴ１の帯域幅内で動作するとき、ＲＡＴ２のために使用される変調符号化方式（ＭＣＳ）は、ＲＡＴ１のスペクトルマスクおよび／またはＲＡＴ２とＲＡＴ１チャネルエッジとの間のオフセットに適合される。適合は、ＲＡＴ２がＲＡＴ１におけるチャネル帯域幅のエッジの近くで動作している場合、より少ない最大電力および／またはより少ない包絡線変動を有するＭＣＳが使用されるように行われる。低包絡線変動を有する変調方式の例は、ｐｉ／２ＢＰＳＫまたはｐｉ／４ＱＰＳＫであり、高包絡線変動変調は、１６−ＱＡＭ、６４ＱＡＭなどである。
【０１６６】
基地局、ＮｏｄｅＢまたはｅＮｏｄｅＢ、およびＵＥのような用語は、非限定的であることを考慮すべきであり、特に、２つの間の特定の階層関係を暗示しないことに留意し、一般に、「ＮｏｄｅＢ」は、デバイス１、「ＵＥ」は、デバイス２とみなすことができ、これら２つのデバイスは、なんらかの無線チャネルを介して互いに通信する。いくつかの実施形態では、総称、ネットワークノードが使用される。ネットワークノードは、基地局、アクセスポイント、ＮｏｄｅＢまたはｅＮｏｄｅＢなどであり得る。いくつかの実施形態では、総称、ワイヤレスデバイスが使用される。ワイヤレスデバイスは、Ｄ２Ｄ  ＵＥ、ＭＴＣ  ＵＥ、Ｍ２Ｍ  ＵＥなどの任意のタイプのＵＥであり得る。ＭＴＣまたはＭ２Ｍ  ＵＥは、狭帯域もしくは狭ＢＷ  ＵＥ、カテゴリ０  ＵＥ、カテゴリＭ  ＵＥ、低コストおよび／または低複雑性ＵＥなどと互換的に呼ばれることもある。いくつかの実施形態では、さらに別の総称、無線ノードが使用されてもよい。無線ノードは、ネットワークノードまたはワイヤレスデバイスであり得る。
【０１６７】
ＵＥは、そのサービングセルに関して通常のカバレッジまたは強化されたカバレッジのいずれかの下で動作してもよい。強化されたカバレッジは、拡張されたカバレッジと互換的に呼ばれることもある。ＵＥはまた、複数のカバレッジレベル、たとえば、通常のカバレッジ、強化されたカバレッジレベル１、強化されたカバレッジレベル２、強化されたカバレッジレベル３などにおいて動作してもよい（すなわち、異なるカバレッジレベル内で移動してもよい）。
【０１６８】
いくつかの実施形態では、動作帯域幅（ＢＷ）という用語が使用される。動作ＢＷ上で、ネットワークノードは、セル内の１つまたは複数のＵＥに信号を送信するおよび／またはそこから信号を受信する。動作帯域幅は、チャネル帯域幅、システム帯域幅、送信帯域幅、セル帯域幅、セル送信ＢＷ、キャリア帯域幅などと互換的に呼ばれる。動作ＢＷは、異なる単位で表されることがある。単位の例は、ｋＨｚ、ＭＨｚ、リソースブロックの数、リソースエレメントの数、サブキャリアの数、物理チャネルの数、周波数リソースユニットの数などである。ＲＡＴが動作する周波数チャネルまたはキャリア周波数は、チャネル番号、別名絶対無線周波数チャネル番号（ＡＲＦＣＮ）、たとえば、ＬＴＥにおけるＥ−ＵＴＲＡ  ＡＲＦＣＮ（ＥＡＲＦＣＮ）などによって列挙またはアドレスされる。
【０１６９】
いくつかの例におけるＮＢ−ＩｏＴへの特定の適用可能性にもかかわらず、ｅＭＴＣならびにＥ−ＵＴＲＡの後継者を含む他のワイヤレスネットワークに技法が適用されてもよいことが理解されよう。したがって、ＬＴＥに関する３ＧＰＰ規格からの用語を使用する信号への本明細書での参照は、より一般的に、他のネットワークにおける類似の特性および／または目的を有する信号に適用されると理解されるべきである。
【０１７０】
本明細書の無線ノードは、無線信号を介して別のノードと通信することができる任意のタイプのノード（たとえば、基地局またはワイヤレス通信デバイス）である。無線ネットワークノードは、基地局のような、ワイヤレス通信ネットワーク内の任意のタイプの無線ノードである。ワイヤレス通信デバイスは、無線信号を介して無線ネットワークノードと通信することができる任意のタイプの無線ノードである。ワイヤレス通信デバイスは、したがって、マシン対マシン（Ｍ２Ｍ）デバイス、マシン型通信（ＭＴＣ）デバイス、ｅＮＢ−ＩｏＴデバイスなどを指すこともある。ワイヤレスデバイスはまた、ユーザ機器（ＵＥ）であってもよいが、ＵＥは、デバイスを所有するおよび／または操作する個人の意味において必ずしも「ユーザ」を有する必要はないことに留意すべきである。ワイヤレスデバイスは、無線デバイス、無線通信デバイス、ワイヤレス端末、または単に端末と呼ばれることもあるが、文脈がそうでないことを示さない限り、これらの用語のうちのいずれの使用も、デバイス対デバイスＵＥまたはデバイス、マシン型デバイスまたはマシン対マシン通信が可能なデバイス、ワイヤレスデバイスを備えるセンサ、ワイヤレス対応テーブルコンピュータ、モバイル端末、スマートフォン、ラップトップ内蔵機器（ＬＥＥ）、ラップトップ搭載機器（ＬＭＥ）、ＵＳＢドングル、ワイヤレスカスタマ宅内機器などを含むことが意図される。本明細書の検討では、マシン対マシン（Ｍ２Ｍ）デバイス、マシン型通信（ＭＴＣ）デバイス、ワイヤレスセンサ、およびセンサという用語も使用されてもよい。これらのデバイスは、ＵＥであってもよいが、一般に、直接的な人間の対話なしに、データを送信および／または受信するように設定されてもよいことを理解すべきである。
【０１７１】
ＩＯＴのシナリオでは、本明細書で説明するワイヤレス通信デバイスは、監視または測定を実行し、そのような監視測定の結果を別のデバイスまたはネットワークに送信するマシンまたはデバイスであってもよく、またはそれらの中に含まれてもよい。そのようなマシンの特定の例は、電力計、産業用機械、家庭用または個人用の器具、たとえば、冷蔵庫、テレビ、腕時計のような個人用着用物などである。他のシナリオでは、本明細書で説明するワイヤレス通信デバイスは、車両内に含まれてもよく、車両の動作状態または車両に関連する他の機能の監視および／または報告を実行してもよい。
【０１７２】
図１８は、本明細書で説明する様々な態様による無線アクセス技術のガードバンドにおける送信を設定するための設定ノードの一実施形態を示す。
【０１７３】
図１９は、本明細書で説明する様々な態様による無線アクセス技術のガードバンドにおける送信を設定するための設定ノードの別の実施形態を示す。
【０１７４】
図２０は、本明細書で説明する様々な態様による無線アクセス技術のガードバンドにおける送信を設定するための設定ノードの別の実施形態を示す。
【０１７５】
もちろん、いくつかの例におけるＮＢ−ＩｏＴへの特定の適用可能性にもかかわらず、ｅＭＴＣならびにＥ−ＵＴＲＡの後継者を含む他のワイヤレスネットワークに技法が適用されてもよいことが理解されよう。したがって、ＬＴＥに関する３ＧＰＰ規格からの用語を使用する信号への本明細書での参照は、より一般的に、他のネットワークにおける類似の特性および／または目的を有する信号に適用されると理解されるべきである。
【０１７６】
図２１は、本明細書で説明する様々な態様による設定ノード１２００の別の実施形態を示す。いくつかの例では、設定ノード１２００は、ワイヤレスデバイス、無線ノード、ネットワークノード、基地局（ＢＳ）、アクセスポイント（ＡＰ）、ユーザ機器（ＵＥ）、移動局（ＭＳ）、端末、セルラー電話、セルラーハンドセット、携帯情報端末（ＰＤＡ）、スマートフォン、ワイヤレス電話、オーガナイザ、ハンドヘルドコンピュータ、デスクトップコンピュータ、ラップトップコンピュータ、タブレットコンピュータ、セットトップボックス、テレビ、器具、ゲームデバイス、医療デバイス、表示デバイス、計量デバイス、またはなにか他の同様の用語と呼ばれることがある。他の例では、設定ノード１２００は、ハードウェア構成要素のセットであってもよい。図２１では、設定ノード１２００は、入力／出力インターフェース１２０５、無線周波数（ＲＦ）インターフェース１２０９、ネットワーク接続インターフェース１２１１、ランダムアクセスメモリ（ＲＡＭ）１２１７、読出し専用メモリ（ＲＯＭ）１２１９、記憶媒体１２２１などを含むメモリ１２１５、通信サブシステム１２５１、電源１２３３、別の構成要素、またはそれらの任意の組合せに動作可能に結合されたプロセッサ１２０１を含むように設定されてもよい。記憶媒体１２１１は、オペレーティングシステム１２２３、アプリケーションプログラム１２２５、データ１２２７などを含んでもよい。特定のデバイスは、図２１に示す構成要素のすべて、または、構成要素のサブセットのみを利用してもよく、統合のレベルは、デバイスごとに異なってもよい。さらに特定のデバイスは、複数のプロセッサ、メモリ、トランシーバ、送信機、受信機などのような構成要素の複数のインスタンスを含んでもよい。たとえば、コンピューティングデバイスは、プロセッサとメモリとを含むように設定されてもよい。
【０１７７】
図２１では、プロセッサ１２０１は、コンピュータ命令およびデータを処理するように設定されてもよい。プロセッサ１２０１は、（たとえば、ディスクリートロジック、ＦＰＧＡ、ＡＳＩＣなどにおける）１つもしくは複数のハードウェア実装状態機械、適切なファームウェアと一緒のプログラム可能ロジック、１つもしくは複数の記憶されたプログラム、適切なソフトウェアと一緒のマイクロプロセッサもしくはデジタル信号プロセッサ（ＤＳＰ）のような汎用プロセッサ、または上記の任意の組合せのような、機械可読コンピュータプログラムとしてメモリ内に記憶された機械命令を実行するように動作する任意の逐次状態機械として設定されてもよい。たとえば、プロセッサ１２０１は、２つのコンピュータプロセッサを含んでもよい。１つの定義において、データは、コンピュータによる使用に適した形態の情報である。当業者がこの開示の主題が様々なオペレーティングシステムまたはオペレーティングシステムの組合せを使用して実装され得ることを認識するであろうことに留意することが重要である。
【０１７８】
本実施形態では、入力／出力インターフェース１２０５は、入力デバイス、出力デバイス、または入力および出力デバイスとの通信インターフェースを提供するように設定されてもよい。設定ノード１２００は、入力／出力インターフェース１２０５を介して出力デバイスを使用するように設定されてもよい。当業者は、出力デバイスが入力デバイスと同じタイプのインターフェースポートを使用してもよいことを認識するであろう。たとえば、設定ノード１２００への入力および設定ノード１２００からの出力を提供するために、ＵＳＢポートが使用されてもよい。出力デバイスは、スピーカ、サウンドカード、ビデオカード、ディスプレイ、モニタ、プリンタ、アクチュエータ、エミッタ、スマートカード、別の出力デバイス、またはそれらの任意の組合せであってもよい。設定ノード１２００は、ユーザが設定ノード１２００に情報を取り込むことを可能にするために、入力／出力インターフェース１２０５を介して入力デバイスを使用するように設定されてもよい。入力デバイスは、マウス、トラックボール、方向パッド、トラックパッド、存在感知入力デバイス、存在感知ディスプレイのようなディスプレイ、スクロールホイール、デジタルカメラ、デジタルビデオカメラ、ウェブカメラ、マイクロフォン、センサ、スマートカードなどを含んでもよい。存在感知入力デバイスは、ユーザからの入力を感知するためのデジタルカメラ、デジタルビデオカメラ、ウェブカメラ、マイクロフォン、センサなどを含んでもよい。存在感知入力デバイスは、存在感知ディスプレイを形成するようにディスプレイと組み合わされてもよい。さらに、存在感知入力デバイスは、プロセッサに結合されてもよい。センサは、たとえば、加速度計、ジャイロスコープ、傾斜センサ、力センサ、磁力計、光学センサ、近接センサ、別の類似のセンサ、またはそれらの任意の組合せであってもよい。たとえば、入力デバイスは、加速度計、磁力計、デジタルカメラ、マイクロフォン、および光学センサであってもよい。
【０１７９】
図２１では、ＲＦインターフェース１２０９は、送信機、受信機、およびアンテナのようなＲＦ構成要素との通信インターフェースを提供するように設定されてもよい。ネットワーク接続インターフェース１２１１は、ネットワーク１２４３ａとの通信インターフェースを提供するように設定されてもよい。ネットワーク１２４３ａは、ローカルエリアネットワーク（ＬＡＮ）、ワイドエリアネットワーク（ＷＡＮ）、コンピュータネットワーク、ワイヤレスネットワーク、電気通信ネットワーク、別の類似のネットワーク、またはそれらの任意の組合せのような、有線およびワイヤレス通信ネットワークを包含してもよい。たとえば、ネットワーク１２４３ａは、Ｗｉ−Ｆｉネットワークであってもよい。ネットワーク通信インターフェース１２１１は、イーサネット、ＴＣＰ／ＩＰ、ＳＯＮＥＴ、ＡＴＭなどのような、当該技術分野で周知の、または開発されている可能性がある１つまたは複数の通信プロトコルに従って、通信ネットワークを介して１つまたは複数の他のノードと通信するために使用される受信機および送信機インターフェースを含むように設定されてもよい。ネットワーク接続インターフェース１２１１は、通信ネットワークリンク（たとえば、光、電気など）に適した受信機および送信機の機能性を実装してもよい。送信機および受信機の機能は、回路構成要素、ソフトウェア、またはファームウェアを共有してもよく、または、代替的には、個別に実装されてもよい。
【０１８０】
この実施形態では、ＲＡＭ１２１７は、オペレーティングシステム、アプリケーションプログラム、およびデバイスドライバのようなソフトウェアプログラムの実行中にデータまたはコンピュータ命令の記憶またはキャッシングを提供するために、バス１２０２を介してプロセッサ１２０１にインターフェースするように設定されてもよい。一例では、設定ノード１２００は、少なくとも１２８メガバイト（１２８メガバイト）のＲＡＭを含んでもよい。ＲＯＭ１２１９は、コンピュータ命令またはデータをプロセッサ１２０１に提供するように設定されてもよい。たとえば、ＲＯＭ１２１９は、基本入力および出力（Ｉ／Ｏ）起動、または不揮発性メモリに記憶されたキーボードからのキーストロークの受信のような、基本システム機能のための不変の低レベルシステムコードまたはデータであるように設定されてもよい。記憶媒体１２１１は、ＲＡＭ、ＲＯＭ、プログラム可能読出し専用メモリ（ＰＲＯＭ）、消去可能プログラム可能読出し専用メモリ（ＥＰＲＯＭ）、電気的消去可能プログラム可能読出し専用メモリ（ＥＥＰＲＯＭ）、磁気ディスク、光ディスク、フロッピーディスク、ハードディスク、リムーバブルカートリッジ、フラッシュドライブのようなメモリを含むように設定されてもよい。一例では、記憶媒体１２２１は、オペレーティングシステム１２２３、ウェブブラウザアプリケーション、ウィジェットもしくはガジェットエンジン、または他のアプリケーションのようなアプリケーションプログラム１２２５、およびデータファイル１２２７を含むように設定されてもよい。
【０１８１】
図２１では、プロセッサ１２０１は、通信サブシステム１２５１を使用してネットワーク１２４３ｂと通信するように設定されてもよい。ネットワーク１２４３ａおよびネットワーク１２４３ｂは、同じネットワークまたは異なるネットワークであってもよい。通信サブシステム１２５１は、ネットワーク１２４３ｂと通信するために使用される１つまたは複数のトランシーバを含むように設定されてもよい。１つまたは複数のトランシーバは、ＩＥＥＥ１１０２．ｘｘ、ＣＤＭＡ、ＷＣＤＭＡ、ＧＳＭ、ＬＴＥ、ＵＴＲＡＮ、ＷｉＭａｘ、ＮＢ−ＩｏＴなどのような、当該技術分野で周知の、または開発されている可能性がある１つまたは複数の通信プロトコルに従ってアクセスネットワーク（ＲＡＮ）の基地局のような別の設定ノードの１つまたは複数のリモートトランシーバと通信するために使用されてもよい
【０１８２】
別の例では、通信サブシステム１２５１は、ＩＥＥＥ１１０２．ｘｘ、ＣＤＭＡ、ＷＣＤＭＡ、ＧＳＭ、ＬＴＥ、ＵＴＲＡＮ、ＷｉＭａｘ、ＮＢ−ＩｏＴなどのような、当該技術分野で周知の、または開発されている可能性がある１つまたは複数の通信プロトコルに従ってユーザ機器のような別の設定ノードの１つまたは複数のリモートトランシーバと通信するために使用される１つまたは複数のトランシーバを含むように設定されてもよい。各トランシーバは、ＲＡＮリンクに適した送信機または受信機の機能性（たとえば、周波数割振りなど）をそれぞれ実装するための送信機１２５３または受信機１２５５を含んでもよい。さらに、各トランシーバの送信機１２５３および受信機１２５５は、回路構成要素、ソフトウェア、またはファームウェアを共有してもよく、または、代替的には、個別に実装されてもよい。
【０１８３】
本実施形態では、通信サブシステム１２５１の通信機能は、データ通信、音声通信、マルチメディア通信、Ｂｌｕｅｔｏｏｔｈのような短距離通信、近接通信、位置を決定するための全地球測位システム（ＧＰＳ）の使用のような位置ベースの通信、別の類似の通信機能、またはそれらの任意の組合せを含んでもよい。たとえば、通信サブシステム１２５１は、セルラー通信、Ｗｉ−Ｆｉ通信、Ｂｌｕｅｔｏｏｔｈ通信、およびＧＰＳ通信を含んでもよい。ネットワーク１２４３ｂは、ローカルエリアネットワーク（ＬＡＮ）、ワイドエリアネットワーク（ＷＡＮ）、コンピュータネットワーク、ワイヤレスネットワーク、電気通信ネットワーク、別の類似のネットワーク、またはそれらの任意の組合せのような、有線およびワイヤレス通信ネットワークを包含してもよい。たとえば、ネットワーク１２４３ｂは、セルラーネットワーク、Ｗｉ−Ｆｉネットワーク、および近接ネットワークであってもよい。電源１２１３は、設定ノード１２００の構成要素に交流（ＡＣ）または直流（ＤＣ）電力を提供するように設定されてもよい。
【０１８４】
図２１では、記憶媒体１２２１は、独立ディスクの冗長アレイ（ＲＡＩＤ）、フロッピーディスクアレイ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内部ハードディスクドライブ、Ｂｌｕ−Ｒａｙ光ディスクドライブ、ホログラフィックデジタルストレージ（ＨＤＤＳ）光ディスクドライブ、外部ミニデュアルインラインメモリモジュール（ＤＩＭＭ）同期ダイナミックランダムアクセスメモリ（ＳＤＲＡＭ）、加入者識別モジュールもしくはリムーバブルユーザ識別（ＳＩＭ／ＲＵＩＭ）モジュールのようなスマートカードメモリ、他のメモリ、またはそれらの任意の組合せのような、いくつかの物理ドライブユニットを含むように設定されてもよい。記憶媒体１２２１は、設定ノード１２００が、一時的もしくは非一時的メモリ媒体上に記憶されたコンピュータ実行可能命令、アプリケーションプログラムなどにアクセスし、データをオフロードし、またはデータをアップロードすることを可能にしてもよい。通信システムを利用するもののような製造物品は、コンピュータ可読媒体を含んでもよい記憶媒体１２２１において有形に具体化されてもよい。
【０１８５】
本明細書で説明される方法の機能性は、設定ノードの構成要素のうちの１つにおいて実装されてもよく、または、設定ノード１２００の複数の構成要素にわたって分割されてもよい。さらに、本明細書で説明される方法の機能性は、ハードウェア、ソフトウェア、またはファームウェアの任意の組合せにおいて実装されてもよい。一例では、通信サブシステム１２５１は、本明細書で説明される構成要素のいずれかを含むように設定されてもよい。さらに、プロセッサ１２０１は、バス１２０２を介してそのような構成要素のいずれかと通信するように設定されてもよい。別の例では、そのような構成要素のいずれもが、プロセッサ１２０１によって実行されたときに本明細書で説明されている対応する機能を実行する、メモリ内に記憶されたプログラム命令によって表されてもよい。別の例では、そのような構成要素のいずれかの機能は、プロセッサ１２０１と通信サブシステム１２５１との間に配置されてもよい。別の例では、そのような構成要素のいずれかの非計算集約的機能は、ソフトウェアもしくはファームウェアにおいて実装されてもよく、または、計算集約的機能は、ハードウェアにおいて実装されてもよい。
【０１８６】
さらに、本明細書で説明されている様々な態様は、開示されている主題を実施するためにコンピューティングデバイスを制御するソフトウェア、ファームウェア、ハードウェア（たとえば、回路）、またはそれらの任意の組合せを生成するために、標準的なプログラミング技法またはエンジニアリング技法を使用して実装されてもよい。いくつかの実施形態は、特定の非プロセッサ回路と共に、本明細書で説明されている方法、デバイス、およびシステムの機能のいくつか、大部分、またはすべてを実施するために１つまたは複数のプロセッサを制御する、マイクロプロセッサ、デジタル信号プロセッサ、カスタマイズされたプロセッサおよびフィールドプログラマブルゲートアレイ（ＦＰＧＡ）、および独自の記憶されたプログラム命令（ソフトウェアとファームウェアの両方を含む）から構成されてもよいことが理解されるであろう。代替的には、いくつかまたはすべての機能は、記憶されたプログラム命令を持たない状態機械によって、または、各機能またはいくつかの機能のいくつかの組合せがカスタム論理回路として実装される１つもしくは複数の特定用途向け集積回路（ＡＳＩＣ）において実装することができる。もちろん、２つの手法の組合せが使用されてもよい。さらに、当業者は、たとえば、利用可能な時間、現在の技術、および経済的な考慮事項によって動機づけられる可能性のある大きな努力および多くの設計選択にもかかわらず、本明細書に開示された概念および原理によって導かれる限り、そのようなプログラム命令およびプログラムならびにＩＣを最小限の実験で容易に生成することができるであろうことが予想される。
【０１８７】
本明細書で使用される「製造物品」という用語は、任意のコンピューティングデバイス、キャリア、または媒体からアクセス可能なコンピュータプログラムを包含することを意図している。たとえば、コンピュータ可読媒体は、ハードディスク、フロッピーディスク、または磁気ストリップのような磁気記憶デバイス、コンパクトディスク（ＣＤ）またはデジタル多用途ディスク（ＤＶＤ）のような光ディスク、スマートカード、および、カード、スティック、またはキードライブのようなフラッシュメモリデバイスを含んでもよい。加えて、電子メール（ｅメール）のような電子データを送信および受信する際に、または、インターネットもしくはローカルエリアネットワーク（ＬＡＮ）のようなコンピュータネットワークにアクセスする際に使用されるものを含むコンピュータ可読電子データを搬送するために、キャリア波が用いられてもよいことが理解されるべきである。もちろん、当業者は、本開示の主題の範囲または要旨から逸脱することなく、多くの変更がこの構成に対して行われてもよいことを認識するであろう。
【０１８８】
本明細書および実施形態を通して、以下の用語は、文脈が明確にそうでないことを示さない限り、本明細書において明示的に関連する意味を少なくともとる。「第１の」および「第２の」などのような関係的用語は、そのようなエンティティまたはアクション間のどのような実際のそのような関係または順序を必ずしも必要とするまたは暗示することなく、１つのエンティティまたはアクションを別のエンティティまたはアクションから区別するためにのみ使用され得る。「または」という用語は、そうでないことを指定されない限り、または排他的な形態に向けられることが文脈から明らかでない限り、包括的な「または」を意味することが意図される。「ａ」、「ａｎ」、および「ｔｈｅ」という用語は、そうでないことを指定されない限り、または単数形に向けられていることが文脈から明らかでない限り、１つまたは複数を意味することが意図される。「含む」という用語およびその様々な形は、含むことを意味するが、これに限定されないことが意図される。「一実施形態」、「実施形態」、「例示的な実施形態」、「様々な実施形態」、および他の同様の用語への参照は、そのように説明された開示された技術の実施形態が特定の機能、特徴、構造、または特性を含んでもよいが、すべての実施形態が必ずしも特定の機能、特徴、構造、または特性を含むとは限らないことを示す。さらに、「一実施形態では」という語句の繰り返された使用は、そうである可能性があるが、必ずしも同じ実施形態を指していない。「実質的に」、「本質的に」、「おおよそ」、「約」、またはそれらの任意の他の変形と言う用語は、当業者によって理解されるものに近いものとして定義され、１つの非限定的な実施形態では、用語は、１０％以内、別の実施形態では５％以内、別の実施形態では１％以内、別の実施形態では０．５％以内であると定義される。特定の方法で「設定された」デバイスまたは構造体は、少なくともその方法で設定されるが、列挙されていない方法で設定されてもよい。
【０１８９】
上記を考慮して、本明細書の実施形態は、一般に、第１の無線アクセス技術（ＲＡＴ）に関するガードバンド内で、第２のＲＡＴに従って無線信号を送信するように無線ノードを設定するための方法を含む。方法は、第１のＲＡＴに関する発射制限に従うように、第２のＲＡＴに従う無線信号の送信のための１つまたは複数の送信パラメータを決定することと、第１のＲＡＴのガードバンド内で無線信号を送信するための１つまたは複数の送信パラメータを用いて無線ノードを設定するステップとを含む。
【０１９０】
いくつかの実施形態では、前記決定することは、無線信号が第１のＲＡＴに関するガードバンド内で送信されるべきであると決定することに応答する。
【０１９１】
いくつかの実施形態では、前記１つまたは複数の送信パラメータを決定することは、第１のＲＡＴに関する発射制限に従うように、第２のＲＡＴに従う無線信号の送信のための１つまたは複数の送信パラメータを適合させることを含む。
【０１９２】
いくつかの実施形態では、前記１つまたは複数の送信パラメータを決定することは、第１のＲＡＴに関する発射制限に従うように、１つまたは複数の送信パラメータが決定されるべき１つまたは複数の規則を適合させるステップを含む。
【０１９３】
いくつかの実施形態では、前記適合させることは、適合させることが第１のＲＡＴに関する発射制限に従うために必要とされることを示す１つまたは複数の条件が満たされていることを決定することに応答する。
【０１９４】
いくつかの実施形態では、前記決定することは、第１のＲＡＴに関する発射制限に従うことが必要とされることを示す１つまたは複数の条件が満たされていることを決定することに応答する。
【０１９５】
いくつかの実施形態では、１つまたは複数の条件は、無線信号が第１のＲＡＴに関するガードバンド内で送信されるべきであることを含む。
【０１９６】
いくつかの実施形態では、１つまたは複数の条件は、無線信号が第１のＲＡＴに関するガードバンド内の特定の周波数領域内で送信されるべきであることを含む。
【０１９７】
いくつかの実施形態では、周波数領域は、第１のＲＡＴに関する送信帯域幅のエッジからの規定された周波数オフセットを超える領域である。
【０１９８】
いくつかの実施形態では、周波数領域は、第１のＲＡＴに関するチャネル帯域幅のエッジからの規定された周波数オフセット内の領域である。
【０１９９】
いくつかの実施形態では、１つまたは複数の規則は、第１のＲＡＴに関する発射制限に従うように、１つまたは複数の送信パラメータの値に制限を課す。
【０２００】
いくつかの実施形態では、前記決定することは、第１のＲＡＴのガードバンド内の無線信号の周波数位置に基づく。
【０２０１】
いくつかの実施形態では、前記決定することは、第１のＲＡＴのガードバンド内での無線信号のキャリア周波数と、第１のＲＡＴの送信帯域幅のエッジを規定するエッジ周波数との間の周波数オフセットに基づく。
【０２０２】
いくつかの実施形態では、前記１つまたは複数の送信パラメータを決定することは、第１のＲＡＴのガードバンド内での無線信号のキャリア周波数と、第１のＲＡＴの送信帯域幅のエッジを規定するエッジ周波数との間の周波数オフセットを決定することと、周波数オフセットに基づいて、第１のＲＡＴに関する発射制限に従うように、第２のＲＡＴに従う無線信号の送信のための１つまたは複数の送信パラメータを適合させることとを含む。
【０２０３】
いくつかの実施形態では、前記１つまたは複数の送信パラメータを決定することは、１つまたは複数の送信パラメータに従って１つまたは複数の規則を適合させるかどうかを決定することを含む。
【０２０４】
いくつかの実施形態では、前記送信パラメータを適合させるかどうかを決定することは、周波数オフセットが所定の閾値未満であるとき、前記適合させるステップを実行しないことを決定することと、周波数オフセットが少なくとも所定の閾値であるとき、前記適合させるステップを実行することを決定することとを含む。
【０２０５】
いくつかの実施形態では、前記送信パラメータを適合させるかどうかを決定することは、周波数オフセットが所定の閾値未満であるとき、前記適合させるステップを実行することを決定することと、周波数オフセットが少なくとも所定の閾値であるとき、前記適合させるステップを実行しないことを決定することとを含む。
【０２０６】
いくつかの実施形態では、前記適合させることは、周波数オフセットが所定の閾値未満であるとき、送信パラメータを送信パラメータの第１のセットに適合させることと、周波数オフセットが少なくとも所定の閾値であるとき、送信パラメータを送信パラメータの第２のセットに適合させることとを含む。
【０２０７】
いくつかの実施形態では、第１および第２のセットのうちの一方は、第２のＲＡＴに従う無線信号の送信に対する第１のＲＡＴに関する発射制限の遵守において他方のセットよりも制限的である。
【０２０８】
いくつかの実施形態では、前記適合させることは、第１のＲＡＴに関する発射制限に従うように、第２のＲＡＴに従う無線信号の送信のための１つまたは複数の送信パラメータを制限することを含む。
【０２０９】
いくつかの実施形態では、前記決定することは、無線信号が第１のＲＡＴに関するガードバンド内で送信されるべきであると決定することに応答して、第１のＲＡＴに関する発射制限に従うために、１つまたは複数の制約の第１のセットに従って１つまたは複数の送信パラメータを決定することを含み、１つまたは複数の制約の第１のセットは、第１のＲＡＴに関するガードバンド外の無線信号の送信のための１つまたは複数の送信パラメータを決定するように無線ノードが設定される１つまたは複数の制約の第２のセットとは異なる。
【０２１０】
いくつかの実施形態では、前記１つまたは複数の送信パラメータを決定することは、第２のＲＡＴに関する発射制限にも従う。
【０２１１】
いくつかの実施形態では、１つまたは複数の送信パラメータは、第１のＲＡＴに関するガードバンド内の無線信号の周波数位置を含む。
【０２１２】
いくつかの実施形態では、１つまたは複数の送信パラメータは、無線信号が送信されるべきキャリア周波数を含む。
【０２１３】
いくつかの実施形態では、１つまたは複数の送信パラメータは、無線信号の信号レベルを含む。
【０２１４】
いくつかの実施形態では、１つまたは複数の送信パラメータは、無線信号の最大信号レベルを含む。
【０２１５】
いくつかの実施形態では、１つまたは複数の送信パラメータは、第２のＲＡＴに関するサブキャリアの周波数割振りを含む。
【０２１６】
いくつかの実施形態では、１つまたは複数の送信パラメータは、無線信号に関するトランスポートフォーマットを含む。
【０２１７】
いくつかの実施形態では、トランスポートフォーマットは、変調方式、符号化方式、およびトランスポートブロックサイズのうちの少なくとも１つを含む。
【０２１８】
いくつかの実施形態では、前記送信パラメータを決定することは、第１のＲＡＴの送信帯域幅のエッジを規定するエッジ周波数と、そのエッジ周波数に対する規定された周波数オフセットとに基づいて、無線信号が第２のＲＡＴに従って送信されるべきキャリア周波数を決定することを含む。
【０２１９】
いくつかの実施形態では、前記送信パラメータを決定することは、無線信号が第２のＲＡＴに従って送信されるべきキャリア周波数を、第１のＲＡＴの送信帯域幅のエッジを規定するエッジ周波数からの規定された周波数オフセット内であるように決定することを含む。
【０２２０】
いくつかの実施形態では、方法は、第１のＲＡＴのチャネル帯域幅に基づいて、規定された周波数オフセットを決定することをさらに含み、規定されたオフセットは、第１のＲＡＴの異なる可能な帯域幅に対して規定される。
【０２２１】
いくつかの実施形態では、規定された周波数オフセットは、第１のＲＡＴに関する発射要件に基づいて指定される。
【０２２２】
いくつかの実施形態では、送信パラメータは、絶対無線周波数チャネル番号（ＡＲＦＣＮ）およびチャネルラスタに対するオフセットのうちの少なくとも１つを含む。
【０２２３】
いくつかの実施形態では、前記送信パラメータを決定することは、第１のＲＡＴの送信帯域幅および第１のＲＡＴのチャネル帯域幅のうちの少なくとも１つに基づいて送信パラメータを決定することを含む。
【０２２４】
いくつかの実施形態では、前記送信パラメータを決定することは、第２のＲＡＴに従う無線信号の送信を管理するスペクトル発射マスクおよび無線信号の信号レベルのうちの少なくとも１つが、第１のＲＡＴを管理するスペクトル発射マスク内にあるように、送信パラメータを決定することを含む。
【０２２５】
いくつかの実施形態では、第２のＲＡＴに関する発射制限は、第１のＲＡＴに関する発射制限に従うことを確実にするように指定され、前記送信パラメータを決定することは、第２のＲＡＴに関する発射制限に従うように、第２のＲＡＴに従う無線信号の送信に関する１つまたは複数の送信パラメータを決定することを含む。
【０２２６】
いくつかの実施形態では、第２のＲＡＴに関する発射制限は、無線信号が第１のＲＡＴに関するガードバンド内で送信されるかどうかにかかわらず、第２のＲＡＴに従って無線信号を送信するのに適用可能な公称発射制限として指定され、第１のＲＡＴに関するガードバンド内で第２のＲＡＴに従って無線信号を送信するために、公称発射制限に加えて追加の発射制限が適用可能である。
【０２２７】
いくつかの実施形態では、追加の発射制限は、無線信号の周波数および帯域幅のうちの少なくとも１つに依存する。
【０２２８】
いくつかの実施形態では、追加の発射制限は、第１のＲＡＴのチャネル帯域幅のエッジを規定するエッジ周波数からの無線信号の周波数オフセットに依存し、より大きい周波数オフセットよりもより小さい周波数オフセットにより厳密な発射制限が指定される。
【０２２９】
いくつかの実施形態では、方法は、１つまたは複数の送信パラメータに基づいて、第１のＲＡＴに関連する発射制限に従って、第１のＲＡＴのガードバンド内で第２のＲＡＴに従って無線信号を送信することをさらに含む。
【０２３０】
実施形態は、第１の無線アクセス技術（ＲＡＴ）に関するガードバンド内で、第２のＲＡＴに従って無線信号を送信するように無線ノードを設定するための設定ノードも含む。設定ノードは、第１のＲＡＴに関する発射制限に従うように、第２のＲＡＴに従う無線信号の送信に関する１つまたは複数の送信パラメータを決定し、第１のＲＡＴのガードバンド内で無線信号を送信するための１つまたは複数の送信パラメータを用いて無線ノードを設定するように設定される。
【０２３１】
いくつかの実施形態では、設定されたノードは、上記の実施形態のいずれかの方法を実行するように設定される。
【０２３２】
実施形態は、第１の無線アクセス技術（ＲＡＴ）のガードバンド内で、第２のＲＡＴに従って無線信号を送信するように無線ノードを設定するための設定ノードも含む。設定ノードは、第１のＲＡＴに関する発射制限に従うように、第２のＲＡＴに従う無線信号の送信に関する１つまたは複数の送信パラメータを決定するように設定された送信パラメータ決定回路と、第１のＲＡＴのガードバンド内で無線信号を送信するための１つまたは複数の送信パラメータを用いて無線ノードを設定するように設定された設定回路とを備える。
【０２３３】
いくつかの実施形態では、決定回路は、第１のＲＡＴのガードバンド内の無線信号の周波数位置と第１のＲＡＴの送信帯域幅のエッジを規定するエッジ周波数との間の周波数オフセットを決定するように設定された周波数オフセット決定回路と、第１のＲＡＴに関する発射制限に従うように、周波数オフセットに基づいて第２のＲＡＴに従う無線信号の送信のための１つまたは複数の送信パラメータを適合させるように設定された適合回路とを含む。
【０２３４】
いくつかの実施形態では、設定ノードは、１つまたは複数の送信パラメータに基づいて、第１のＲＡＴに関する発射制限に従って、第１のＲＡＴのガードバンド内で、第２のＲＡＴに従って無線信号を送信するように設定された送信機を設定するようにさらに設定される。
【０２３５】
いくつかの実施形態では、設定ノードは、上記の実施形態のいずれかの方法を実行するように設定される。
【０２３６】
いくつかの実施形態では、第１の無線アクセス技術（ＲＡＴ）のガードバンド内で、第２のＲＡＴに従って無線信号を送信するように無線ノードを設定するための設定ノード。設定ノードは、第１のＲＡＴに関する発射制限に従うように、第２のＲＡＴに従う無線信号の送信に関する１つまたは複数の送信パラメータを決定するための送信パラメータ決定モジュールと、第１のＲＡＴのガードバンド内で無線信号を送信するための１つまたは複数の送信パラメータを用いて無線ノードを設定するための設定モジュールとを備える。
【０２３７】
いくつかの実施形態では、決定回路は、第１のＲＡＴのガードバンド内の無線信号の周波数位置と第１のＲＡＴの送信帯域幅のエッジを規定するエッジ周波数との間の周波数オフセットを決定するための周波数オフセット決定モジュールと、第１のＲＡＴに関する発射制限に従うように、周波数オフセットに基づいて第２のＲＡＴに従う無線信号の送信のための１つまたは複数の送信パラメータを適合させるための適合モジュールとを含む。
【０２３８】
いくつかの実施形態では、設定ノードは、１つまたは複数の送信パラメータに基づいて、第１のＲＡＴに関する発射制限に従って、第１のＲＡＴのガードバンド内で、第２のＲＡＴに従って無線信号を送信するように設定された送信モジュールをさらに備える。
【０２３９】
いくつかの実施形態では、設定ノードは、上記の実施形態のいずれかの方法を実行するように設定される。
【０２４０】
他の実施形態は、第１の無線アクセス技術（ＲＡＴ）に関するガードバンド内で、第２のＲＡＴに従って無線信号を送信するように無線ノードを設定するための設定ノードを含む。設定ノードは、プロセッサとメモリとを備え、メモリは、プロセッサによって実行可能な命令であって、それによって、設定ノードが、第１のＲＡＴに関する発射制限に従うように、第２のＲＡＴに従う無線信号の送信に関する１つまたは複数の送信パラメータを決定し、第１のＲＡＴのガードバンド内で無線信号を送信するための１つまたは複数のパラメータを用いて無線ノードを設定するように設定される、命令を含む。
【０２４１】
いくつかの実施形態では、メモリは、プロセッサによって実行可能な命令であって、それによって、設定ノードが、上記の実施形態のいずれかの方法を実行するように設定される命令を含む。
【０２４２】
実施形態は、設定ノードの少なくとも１つのプロセッサにおいて実行されたとき、少なくとも１つのプロセッサに実施形態のいずれかによる方法を実行させる命令を含むコンピュータプログラムをさらに含む。
【０２４３】
実施形態は、コンピュータプログラムを含むキャリアをさらに含み、キャリアは、電子信号、光信号、無線信号、またはコンピュータ可読記憶媒体のうちの１つである。
【図１Ａ】
2019521580.tif 000003
2019521580.tif 000004
【図１Ｂ】
2019521580.tif 000005
2019521580.tif 000006
【図１Ｃ】
2019521580.tif 000007
【図２】
2019521580.tif 000008
【図３】
2019521580.tif 000009
【図４】
2019521580.tif 000010
【図５】
2019521580.tif 000011
【図６】
2019521580.tif 000012
【図７】
2019521580.tif 000013
【図８】
2019521580.tif 000014
【図９Ａ】
2019521580.tif 000015
【図９Ｂ】
2019521580.tif 000016
【図１０】
2019521580.tif 000017
【図１１】
2019521580.tif 000018
【図１２】
2019521580.tif 000019
【図１３】
2019521580.tif 000020
【図１４】
2019521580.tif 000021
【図１５】
2019521580.tif 000022
【図１６】
2019521580.tif 000023
【図１７】
2019521580.tif 000024
【図１８】
2019521580.tif 000025
【図１９】
2019521580.tif 000026
【図２０】
2019521580.tif 000027
【図２１】
2019521580.tif 000028
【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
第１の無線アクセス技術（ＲＡＴ）のガードバンド内で第２のＲＡＴに従って無線信号（７０９）を送信するように無線ノード（７０５、７１１）を設定するための方法であって、
前記無線信号（７０９）の送信が前記第１のＲＡＴに関する発射制限に従うように、前記第１のＲＡＴのチャネル帯域幅（７３１）に基づいて、前記第２のＲＡＴに従う前記無線信号（７０９）の送信に関する１つまたは複数の送信パラメータを決定すること（８０１）であって、前記１つまたは複数の送信パラメータが前記第１のＲＡＴの前記ガードバンド内の前記無線信号（７０９）の周波数位置を含む、送信パラメータを決定することと、
前記第１のＲＡＴの前記ガードバンド内で前記第２のＲＡＴに従って前記無線信号（７０９）を送信するための前記１つまたは複数の送信パラメータを用いて前記無線ノード（７０５、７１１）を設定すること（８０３）と
を含む、方法。
【請求項２】
前記１つまたは複数の送信パラメータが、前記無線信号（７０９）が前記第２のＲＡＴに従って送信されるべきキャリア周波数を含み、前記送信パラメータを決定することが、前記第１のＲＡＴの前記チャネル帯域幅（７３１）のエッジを規定するエッジ周波数と、そのエッジ周波数に対する規定された周波数オフセットとに基づいて前記キャリア周波数を決定することを含む、請求項１に記載の方法。
【請求項３】
前記第１のＲＡＴの前記チャネル帯域幅（７３１）に基づいて前記規定された周波数オフセットを決定することをさらに含み、複数の規定された周波数オフセットは前記第１のＲＡＴの異なるチャネル帯域幅に対して規定されている、請求項２に記載の方法。
【請求項４】
前記規定された周波数オフセットが、前記第１のＲＡＴに関する発射要件に基づいて指定される、請求項２または３に記載の方法。
【請求項５】
前記送信パラメータを決定することが、前記第２のＲＡＴに従う前記無線信号（７０９）の送信を管理するスペクトル発射マスクが前記第１のＲＡＴを管理するスペクトル発射マスク内にあるように、前記無線信号（７０９）の前記周波数位置を決定することを含む、請求項１から４のいずれか一項に記載の方法。
【請求項６】
無線信号（７０９）が前記第１のＲＡＴに関する前記ガードバンド内で送信されるかどうかにかかわらず、前記第２のＲＡＴに従って前記無線信号（７０９）を送信するために公称発射制限が適用可能であり、前記第１のＲＡＴに関するチャネル帯域幅（７３１）のエッジからの無線信号（７０９）の周波数オフセットに応じて、前記第１のＲＡＴに関する前記ガードバンド内で前記第２のＲＡＴに従って前記無線信号（７０９）を送信するために、前記公称発射制限に加えて追加の発射制限が適用可能であり、前記追加の発射制限は、前記周波数オフセットが規定された閾値よりも小さいときに強制され、前記周波数オフセットが前記規定された閾値よりも大きいときは強制されない、請求項１から５のいずれか一項に記載の方法。
【請求項７】
前記規定された閾値が、前記第１のＲＡＴに関する前記チャネル帯域幅（７３１）のサイズに依存する、請求項６に記載の方法。
【請求項８】
前記第２のＲＡＴに関するスペクトル発射マスクが、前記第２のＲＡＴのチャネル帯域幅のエッジから開始する周波数に適用され、前記送信パラメータを決定することが、前記第１のＲＡＴの前記チャネル帯域幅（７３１）のエッジからのオフセット周波数に関する前記第２のＲＡＴに関する前記スペクトル発射マスクに対して指定された要件に基づいて前記周波数位置を決定することを含む、請求項１に記載の方法。
【請求項９】
前記オフセット周波数が、前記第１のＲＡＴの前記チャネル帯域幅（７３１）のサイズに依存する、請求項８に記載の方法。
【請求項１０】
前記送信パラメータを決定することが、前記第１のＲＡＴの前記チャネル帯域幅（７３１）の異なる可能なサイズに対して要求されるそれぞれのオフセット周波数を指定するテーブルに基づいて前記周波数位置を決定することを含む、請求項８に記載の方法。
【請求項１１】
前記送信パラメータを決定することが、少なくとも前記第１のＲＡＴの前記チャネル帯域幅（７３１）のエッジと前記第２のＲＡＴのチャネル帯域幅のエッジとの間の特定の周波数オフセットの要件に基づいて前記周波数位置を決定することを含む、請求項１に記載の方法。
【請求項１２】
要求される前記特定の周波数オフセットが、前記第１のＲＡＴの前記チャネル帯域幅（７３１）のサイズに依存する、請求項１１に記載の方法。
【請求項１３】
前記送信パラメータを決定することが、前記第１のＲＡＴの前記チャネル帯域幅（７３１）のエッジからのオフセット周波数に関する要件に基づいて前記周波数位置を決定することを含む、請求項１に記載の方法。
【請求項１４】
前記送信パラメータを決定することが、前記第１のＲＡＴと前記第２のＲＡＴの両方に関する発射制限に従うように、前記無線信号（７０９）の送信のための前記１つまたは複数の送信パラメータを決定することを含む、請求項１から１３のいずれか一項に記載の方法。
【請求項１５】
基地局（７１１）によって実行され、前記設定することが、前記１つまたは複数の送信パラメータを前記無線ノード（７０５、７１１）に示すことを含む、請求項１から１４のいずれか一項に記載の方法。
【請求項１６】
前記無線ノード（７０５、７１１）によって実行され、前記１つまたは複数の送信パラメータを用いて設定された通りに前記無線信号（７０９）を送信することをさらに含む、請求項１から１４のいずれか一項に記載の方法。
【請求項１７】
前記無線ノード（７０５、７１１）がユーザ機器（７０５）である、請求項１から１６のいずれか一項に記載の方法。
【請求項１８】
第１の無線アクセス技術（ＲＡＴ）に関するガードバンド内で、第２のＲＡＴに従って無線信号（７０９）を送信するように無線ノード（７０５、７１１）を設定するための基地局（７１１）であって、
処理回路網（１５０４、１９０１）とメモリ（１５０８、１９０３）とを備え、前記メモリ（１５０８、１９０３）が、前記処理回路網（１５０４、１９０１）によって実行可能な命令であって、それによって、基地局（７１１）が、
前記無線信号（７０９）の送信が前記第１のＲＡＴに関する発射制限に従うように、前記第１のＲＡＴのチャネル帯域幅（７３１）に基づいて、前記第２のＲＡＴに従う前記無線信号（７０９）の送信に関する１つまたは複数の送信パラメータを決定することであって、前記１つまたは複数の送信パラメータが前記第１のＲＡＴの前記ガードバンド内の前記無線信号（７０９）の周波数位置を含む、送信パラメータを決定することと、
前記第１のＲＡＴの前記ガードバンド内で前記第２のＲＡＴに従って前記無線信号（７０９）を送信するための前記１つまたは複数の送信パラメータを用いて前記無線ノード（７０５、７１１）を設定することと
を行うように設定される、命令を含む、基地局（７１１）。
【請求項１９】
前記メモリが、前記処理回路網によって実行可能な命令であって、それによって、前記基地局（７１１）が、請求項２から１５および１７のいずれか一項に記載の方法を実行するように設定される、命令を含む、請求項１８に記載の基地局（７１１）。
【請求項２０】
基地局（７１１）の少なくとも１つのプロセッサにおいて実行されたとき、前記少なくとも１つのプロセッサに、請求項１から１５および１７のいずれか一項に記載の方法を実行させる命令を含む、コンピュータプログラム。
【請求項２１】
第１の無線アクセス技術（ＲＡＴ）に関するガードバンド内で、第２のＲＡＴに従って無線信号（７０９）を送信するためのユーザ機器（７０５）であって、
処理回路網（１５０４、１９０１）とメモリ（１５０８、１９０３）とを備え、前記メモリ（１５０８、１９０３）が、前記処理回路網（１５０４、１９０１）によって実行可能な命令であって、それによって、ユーザ機器（７０５）が、
前記無線信号（７０９）の送信が前記第１のＲＡＴに関する発射制限に従うように、前記第１のＲＡＴのチャネル帯域幅（７３１）に基づいて、前記第２のＲＡＴに従う前記無線信号（７０９）の送信に関する１つまたは複数の送信パラメータを決定することであって、前記１つまたは複数の送信パラメータが前記第１のＲＡＴの前記ガードバンド内の前記無線信号（７０９）の周波数位置を含む、送信パラメータを決定することと、
前記第１のＲＡＴの前記ガードバンド内で前記第２のＲＡＴに従って前記１つまたは複数の送信パラメータを用いて前記無線信号（７０９）を送信することと
を行うように設定される、命令を含む、ユーザ機器（７０５）。
【請求項２２】
前記メモリが、前記処理回路網によって実行可能な命令であって、それによって、前記ユーザ機器（７０５）が、請求項２から１４および１６から１７のいずれか一項に記載の方法を実行するように設定される、命令を含む、請求項２１に記載のユーザ機器（７０５）。
【請求項２３】
ユーザ機器（７０５）の少なくとも１つのプロセッサにおいて実行されたとき、前記少なくとも１つのプロセッサに請求項２から１４および１６から１７のいずれか一項に記載の方法を実行させる命令を含む、コンピュータプログラム。
【請求項２４】
請求項２０または２３のコンピュータプログラムを含むキャリアであって、電子信号、光信号、無線信号（７０９）、またはコンピュータ可読記憶媒体のうちの１つである、キャリア。
【国際調査報告】
2019521580.tif 000029
2019521580.tif 000030